(57)【要約】  本願は、信号伝送方法及び信号伝送装置を開示する。方法は、複数の低次変調信号を組み合わせてＮ個の高次変調信号にする段階と、Ｎ個のサブキャリアでＮ個の高次変調信号を伝送する段階であって、Ｎ個のサブキャリアは、Ｍ個のチャネルの周波数領域リソースにおけるサブキャリアであり、Ｎ個の高次変調信号における第ｎの高次変調信号は、Ｎ個のサブキャリアにおける第ｎのサブキャリアで伝送され、Ｎは２以上の整数であり、Ｍは２以上の整数であり、ｎ＝１，２，...，Ｎである、段階とを備える。本願の実施形態における信号伝送方法及び信号伝送装置は、ダイバーシティ利得の効率を改善できる。
2019522938.tif 000002
【特許請求の範囲】
【請求項１】
信号伝送方法であって、
複数の低次変調信号を組み合わせてＮ個の高次変調信号にする段階と、
前記Ｎ個の高次変調信号をＮ個のサブキャリアで伝送する段階であって、前記Ｎ個のサブキャリアは、Ｍ個のチャネルの周波数領域リソースにおけるサブキャリアであり、前記Ｎ個の高次変調信号における第ｎの高次変調信号は、前記Ｎ個のサブキャリアにおける第ｎのサブキャリアで伝送され、Ｎは２以上の整数であり、Ｍは２以上の整数であり、ｎ＝１，２，...，Ｎである、段階と
を備える方法。
【請求項２】
複数の低次変調信号を組み合わせてＮ個の高次変調信号にする前記段階は、
前記複数の低次変調信号およびチャネル行列Ｑに基づいて前記Ｎ個の高次変調信号を決定する段階を含む、請求項１に記載の方法。
【請求項３】
前記Ｎ個の高次変調信号をＮ個のサブキャリアで伝送する前記段階は、
前記Ｍ個のチャネルにおける第ｍのチャネルのｋ個のサブキャリアで前記Ｎ個の高次変調信号のうちのｋ個を伝送する段階であって、Ｎ＝Ｍ×ｋであり、ｋは２より大きい整数であり、ｍ＝１，２，...，Ｍである、段階を含む、請求項１または２に記載の方法。
【請求項４】
Ｍ＝２かつＮ＝４であるとき、前記Ｍ個のチャネルは第１チャネルおよび第２チャネルであり、前記Ｎ個のサブキャリアは第１サブキャリア、第２サブキャリア、第３サブキャリアおよび第４サブキャリアであり、前記Ｎ個の高次変調信号は第１高次変調信号ｘ１、第２高次変調信号ｘ２、第３高次変調信号ｘ３および第４高次変調信号ｘ４であり、
前記Ｎ個の高次変調信号をＮ個のサブキャリアで伝送する前記段階は、
前記第１高次変調信号ｘ１を前記第１チャネルの前記第１サブキャリアで伝送する段階と、
前記第２高次変調信号ｘ２を前記第２チャネルの前記第２サブキャリアで伝送する段階と、
前記第３高次変調信号ｘ３を前記第１チャネルの前記第３サブキャリアで伝送する段階と、
前記第４高次変調信号ｘ４を前記第２チャネルの前記第４サブキャリアで伝送する段階と
を含む、請求項１から３のいずれか一項に記載の方法。
【請求項５】
前記複数の低次変調信号は、ｓ１、ｓ２、ｓ３およびｓ４であり、前記チャネル行列Ｑは、
【数１３５】
2019522938.tif 000142
のいずれか１つである、請求項４に記載の方法。
【請求項６】
Ｍ＝３かつＮ＝９であるとき、前記Ｍ個のチャネルは第１チャネル、第２チャネルおよび第３チャネルであり、前記Ｎ個のサブキャリアは第１サブキャリア、第２サブキャリア、第３サブキャリア、第４サブキャリア、第５サブキャリア、第６サブキャリア、第７サブキャリア、第８サブキャリアおよび第９サブキャリアであり、前記Ｎ個の高次変調信号は第１高次変調信号ｘ１、第２高次変調信号ｘ２、第３高次変調信号ｘ３、第４高次変調信号ｘ４、第５高次変調信号ｘ５、第６高次変調信号ｘ６、第７高次変調信号ｘ７、第８高次変調信号ｘ８および第９高次変調信号ｘ９であり、
前記Ｎ個の高次変調信号をＮ個のサブキャリアで伝送する前記段階は、
前記第１高次変調信号ｘ１を前記第１チャネルの前記第１サブキャリアで伝送する段階と、
前記第２高次変調信号ｘ２を前記第２チャネルの前記第２サブキャリアで伝送する段階と、
前記第３高次変調信号ｘ３を前記第３チャネルの前記第３サブキャリアで伝送する段階と、
前記第４高次変調信号ｘ４を前記第１チャネルの前記第４サブキャリアで伝送する段階と、
前記第５高次変調信号ｘ５を前記第２チャネルの前記第５サブキャリアで伝送する段階と、
前記第６高次変調信号ｘ６を前記第３チャネルの前記第６サブキャリアで伝送する段階と、
前記第７高次変調信号ｘ７を前記第１チャネルの前記第７サブキャリアで伝送する段階と、
前記第８高次変調信号ｘ８を前記第２チャネルの前記第８サブキャリアで伝送する段階と、
前記第９高次変調信号ｘ９を前記第３チャネルの前記第９サブキャリアで伝送する段階と
を含む、請求項１から３のいずれか一項に記載の方法。
【請求項７】
前記複数の低次変調信号は、ｓ１、ｓ２、ｓ３、ｓ４、ｓ５、ｓ６、ｓ７、ｓ８、ｓ９であり、前記チャネル行列Ｑは
【数１３６】
2019522938.tif 000143
である、請求項６に記載の方法。
【請求項８】
前記Ｎ個の高次変調信号をＮ個のサブキャリアで伝送する前記段階は、Ｎ個のサブバンドの前記Ｎ個のサブキャリアで前記Ｎ個の高次変調信号を伝送する段階であって、前記Ｎ個のサブキャリアにおける前記第ｎのサブキャリアは、前記Ｎ個のサブバンドにおける第ｎのサブバンドのサブキャリアであり、前記Ｎ個のサブバンドは前記Ｍ個のチャネルの前記周波数領域リソースにおけるサブバンドである、段階を含む、請求項１または２に記載の方法。
【請求項９】
Ｎ＝４であるとき、前記Ｎ個のサブバンドは、第１サブバンド、第２サブバンド、第３サブバンドおよび第４サブバンドであり、前記Ｎ個のサブキャリアは、第１サブキャリア、第２サブキャリア、第３サブキャリアおよび第４サブキャリアであり、前記Ｎ個の高次変調信号は、第１高次変調信号
【数１３７】
2019522938.tif 000144
、第２高次変調信号
【数１３８】
2019522938.tif 000145
、第３高次変調信号
【数１３９】
2019522938.tif 000146
および第４高次変調信号
【数１４０】
2019522938.tif 000147
であり、
ｘ１＊はｘ１の共役であり、ｘ２＊はｘ２の共役であり、
Ｎ個のサブバンドの前記Ｎ個のサブキャリアで前記Ｎ個の高次変調信号を伝送する前記段階は、
前記第１サブバンドの前記第１サブキャリアで前記第１高次変調信号
【数１４１】
2019522938.tif 000148
を伝送する段階と、
前記第２サブバンドの前記第２サブキャリアで前記第２高次変調信号
【数１４２】
2019522938.tif 000149
を伝送する段階と、
前記第３サブバンドの前記第３サブキャリアで前記第３高次変調信号
【数１４３】
2019522938.tif 000150
を伝送する段階と、
前記第４サブバンドの前記第４サブキャリアで前記第４高次変調信号
【数１４４】
2019522938.tif 000151
を伝送する段階と
を含む、請求項８に記載の方法。
【請求項１０】
前記複数の低次変調信号は、ｓ１およびｓ２であり、前記チャネル行列Ｑは、
【数１４５】
2019522938.tif 000152
であるか、または、前記チャネル行列Ｑは、
【数１４６】
2019522938.tif 000153
である、請求項９に記載の方法。
【請求項１１】
Ｎ＝３であるとき、前記Ｎ個のサブバンドは、第１サブバンド、第２サブバンドおよび第３サブバンドであり、前記Ｎ個のサブキャリアは、第１サブキャリア、第２サブキャリアおよび第３サブキャリアであり、前記Ｎ個の高次変調信号は、第１高次変調信号
【数１４７】
2019522938.tif 000154
、第２高次変調信号
【数１４８】
2019522938.tif 000155
、第３高次変調信号
【数１４９】
2019522938.tif 000156
であり、
Ｎ個のサブバンドの前記Ｎ個のサブキャリアで前記Ｎ個の高次変調信号を伝送する前記段階は、
前記第１サブバンドの前記第１サブキャリアで前記第１高次変調信号
【数１５０】
2019522938.tif 000157
を伝送する段階と、
前記第２サブバンドの前記第２サブキャリアで前記第２高次変調信号
【数１５１】
2019522938.tif 000158
を伝送する段階と、
前記第３サブバンドの前記第３サブキャリアで前記第３高次変調信号
【数１５２】
2019522938.tif 000159
を伝送する段階と
を含む、請求項８に記載の方法。
【請求項１２】
前記複数の低次変調信号は、ｓ１、ｓ２およびｓ３であり、前記チャネル行列Ｑは、
【数１５３】
2019522938.tif 000160
である、請求項１１に記載の方法。
【請求項１３】
信号伝送装置であって、
複数の低次変調信号を組み合わせてＮ個の高次変調信号にするよう構成される決定モジュールと、
前記決定モジュールによって決定された前記Ｎ個の高次変調信号をＮ個のサブキャリアで伝送するよう構成される伝送モジュールであって、前記Ｎ個のサブキャリアは、Ｍ個のチャネルの周波数領域リソースにおけるサブキャリアであり、前記Ｎ個の高次変調信号における第ｎの高次変調信号は、前記Ｎ個のサブキャリアにおける第ｎのサブキャリアで伝送され、Ｎは２以上の整数であり、Ｍは２以上の整数であり、ｎ＝１，２，...，Ｎである、伝送モジュールと
を備える装置。
【請求項１４】
前記決定モジュールは、具体的には、前記複数の低次変調信号およびチャネル行列Ｑに基づいて前記Ｎ個の高次変調信号を決定するよう構成される、請求項１３に記載の装置。
【請求項１５】
前記伝送モジュールは、具体的には、
前記Ｍ個のチャネルにおける第ｍのチャネルのｋ個のサブキャリアで前記Ｎ個の高次変調信号のうちのｋ個を伝送するよう構成され、Ｎ＝Ｍ×ｋであり、ｋは２より大きい整数であり、ｍ＝１，２，...，Ｍである、請求項１３または１４に記載の装置。
【請求項１６】
Ｍ＝２かつＮ＝４であるとき、前記Ｍ個のチャネルは、第１チャネルおよび第２チャネルであり、前記Ｎ個のサブキャリアは、第１サブキャリア、第２サブキャリア、第３サブキャリアおよび第４サブキャリアであり、前記Ｎ個の高次変調信号は、第１高次変調信号ｘ１、第２高次変調信号ｘ２、第３高次変調信号ｘ３および第４高次変調信号ｘ４であり、
前記伝送モジュールは具体的には、
前記第１高次変調信号ｘ１を前記第１チャネルの前記第１サブキャリアで伝送すること、
前記第２高次変調信号ｘ２を前記第２チャネルの前記第２サブキャリアで伝送すること、
前記第３高次変調信号ｘ３を前記第１チャネルの前記第３サブキャリアで伝送すること、および、
前記第４高次変調信号ｘ４を前記第２チャネルの前記第４サブキャリアで伝送すること
を行うよう構成される、
請求項１３から１５のいずれか一項に記載の装置。
【請求項１７】
前記複数の低次変調信号は、ｓ１、ｓ２、ｓ３およびｓ４であり、前記チャネル行列Ｑは、
【数１５４】
2019522938.tif 000161
のいずれか１つである、請求項１６に記載の装置。
【請求項１８】
Ｍ＝３かつＮ＝９であるとき、前記Ｍ個のチャネルは、第１チャネル、第２チャネルおよび第３チャネルであり、前記Ｎ個のサブキャリアは、第１サブキャリア、第２サブキャリア、第３サブキャリア、第４サブキャリア、第５サブキャリア、第６サブキャリア、第７サブキャリア、第８サブキャリアおよび第９サブキャリアであり、前記Ｎ個の高次変調信号は、第１高次変調信号ｘ１、第２高次変調信号ｘ２、第３高次変調信号ｘ３、第４高次変調信号ｘ４、第５高次変調信号ｘ５、第６高次変調信号ｘ６、第７高次変調信号ｘ７、第８高次変調信号ｘ８および第９高次変調信号ｘ９であり、
前記伝送モジュールは具体的には、
前記第１チャネルの前記第１サブキャリアで前記第１高次変調信号ｘ１を伝送すること、
前記第２チャネルの前記第２サブキャリアで前記第２高次変調信号ｘ２を伝送すること、
前記第３チャネルの前記第３サブキャリアで前記第３高次変調信号ｘ３を伝送すること、
前記第１チャネルの前記第４サブキャリアで前記第４高次変調信号ｘ４を伝送すること、
前記第２チャネルの前記第５サブキャリアで前記第５高次変調信号ｘ５を伝送すること、
前記第３チャネルの前記第６サブキャリアで前記第６高次変調信号ｘ６を伝送すること、
前記第１チャネルの前記第７サブキャリアで前記第７高次変調信号ｘ７を伝送すること、
前記第２チャネルの前記第８サブキャリアで前記第８高次変調信号ｘ８を伝送すること、および、
前記第３チャネルの前記第９サブキャリアで前記第９高次変調信号ｘ９を伝送すること
を行うよう構成される、
請求項１３から１５のいずれか一項に記載の装置。
【請求項１９】
前記複数の低次変調信号は、ｓ１、ｓ２、ｓ３、ｓ４、ｓ５、ｓ６、ｓ７、ｓ８およびｓ９であり、前記チャネル行列Ｑは
【数１５５】
2019522938.tif 000162
である、請求項１８に記載の装置。
【請求項２０】
前記伝送モジュールは具体的には、Ｎ個のサブバンドの前記Ｎ個のサブキャリアで前記Ｎ個の高次変調信号を伝送するよう構成され、
前記Ｎ個のサブキャリアにおける前記第ｎのサブキャリアは、前記Ｎ個のサブバンドにおける第ｎのサブバンドのサブキャリアであり、前記Ｎ個のサブバンドは、前記Ｍ個のチャネルの前記周波数領域リソースにおけるサブバンドである、請求項１３または１４に記載の装置。
【請求項２１】
Ｎ＝４であるとき、前記Ｎ個のサブバンドは、第１サブバンド、第２サブバンド、第３サブバンドおよび第４サブバンドであり、前記Ｎ個のサブキャリアは、第１サブキャリア、第２サブキャリア、第３サブキャリアおよび第４サブキャリアであり、前記Ｎ個の高次変調信号は、第１高次変調信号
【数１５６】
2019522938.tif 000163
、第２高次変調信号
【数１５７】
2019522938.tif 000164
、第３高次変調信号
【数１５８】
2019522938.tif 000165
および第４高次変調信号
【数１５９】
2019522938.tif 000166
であり、
ｘ１＊はｘ１の共役であり、ｘ２＊はｘ２の共役であり、
前記伝送モジュールは具体的には、
前記第１サブバンドの前記第１サブキャリアで前記第１高次変調信号
【数１６０】
2019522938.tif 000167
を伝送すること、
前記第２サブバンドの前記第２サブキャリアで前記第２高次変調信号
【数１６１】
2019522938.tif 000168
を伝送すること、
前記第３サブバンドの前記第３サブキャリアで前記第３高次変調信号
【数１６２】
2019522938.tif 000169
を伝送すること、および、
前記第４サブバンドの前記第４サブキャリアで前記第４高次変調信号
【数１６３】
2019522938.tif 000170
を伝送すること
を行うよう構成される、請求項２０に記載の装置。
【請求項２２】
前記複数の低次変調信号はｓ１およびｓ２であり、前記チャネル行列Ｑは、
【数１６４】
2019522938.tif 000171
である、請求項２１に記載の装置。
【請求項２３】
Ｎ＝３であるとき、前記Ｎ個のサブバンドは、第１サブバンド、第２サブバンドおよび第３サブバンドであり、前記Ｎ個のサブキャリアは、第１サブキャリア、第２サブキャリアおよび第３サブキャリアであり、前記Ｎ個の高次変調信号は、第１高次変調信号
【数１６５】
2019522938.tif 000172
、第２高次変調信号
【数１６６】
2019522938.tif 000173
および第３高次変調信号
【数１６７】
2019522938.tif 000174
であり、前記伝送モジュールは、具体的には、
前記第１サブバンドの前記第１サブキャリアで前記第１高次変調信号
【数１６８】
2019522938.tif 000175
を伝送すること、
前記第２サブバンドの前記第２サブキャリアで前記第２高次変調信号
【数１６９】
2019522938.tif 000176
を伝送すること、および、
前記第３サブバンドの前記第３サブキャリアで前記第３高次変調信号
【数１７０】
2019522938.tif 000177
を伝送すること
を行うよう構成される、請求項２０に記載の装置。
【請求項２４】
前記複数の低次変調信号は、ｓ１、ｓ２およびｓ３であり、前記チャネル行列Ｑは、
【数１７１】
2019522938.tif 000178
である、請求項２３に記載の装置。
【発明の詳細な説明】
【技術分野】
【０００１】
本願は、２０１６年７月１９日に中国国家知識産権局に出願された、参照によって全体が本明細書に組み込まれる、「信号伝送方法及び信号伝送装置」と題する中国特許出願第２０１６１０５６９２３７．０号に対する優先権を主張するものである。
【０００２】
本願は、通信分野に関連し、より具体的には、信号伝送方法及び信号伝送装置に関連する。
【背景技術】
【０００３】
直交周波数分割多重方式（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）技術に基づく無線ローカルエリアネットワーク（Ｗｉｒｅｌｅｓｓ  ｌｏｃａｌ  Ａｃｃｅｓｓ  Ｎｅｔｗｏｒｋ、ＷＬＡＮ）規格には、８０２．１１ａ、８０２．１１ｎ、８０２．１１ａｃおよび８０２．１１ａｄなど、徐々に進化する規格が含まれる。現在、無線高精度音声映像信号伝送規格８０２．１１ａｄは主に、無線高精度音声映像信号の家庭内伝送を実装するために、および、家庭用マルチメディア用途のための、より高精細度の映像ソリューションを提供するために使用されている。８０２．１１ａｄにおいては、混雑している２．４ＧＨｚおよび５ＧＨｚの周波数帯域が放棄され、６０ＧＨｚの高周波数キャリアスペクトルが使用される。
【０００４】
現在、６０ＧＨｚの周波数帯域は、４個のチャネルに分割され得て、各チャネルの帯域幅は、２．１６ＧＨｚである。しかしながら、８０２．１１ａｄにおいては、一度に１個のチャネルのみを使用して信号を伝送できる。信号を伝送するために１個のチャネルのみが使用される場合、より多くのダイバーシティを柔軟に実装することができず、ダイバーシティ利得効果は顕著でなくなる。
【発明の概要】
【０００５】
本願の実施形態は、信号伝送方法及び信号伝送装置を提供し、それにより、ダイバーシティ利得の効率を改善する。
【０００６】
第１の態様によれば、複数の低次変調信号を組み合わせてＮ個の高次変調信号にする段階と、Ｎ個のサブキャリアでＮ個の高次変調信号を伝送する段階であって、Ｎ個のサブキャリアは、Ｍ個のチャネルの周波数領域リソースにおけるサブキャリアであり、Ｎ個の高次変調信号における第ｎの高次変調信号は、Ｎ個のサブキャリアにおける第ｎのサブキャリアで伝送され、Ｎは２以上の整数であり、Ｍは２以上の整数であり、ｎ＝１，２，...，Ｎである、段階とを備える信号伝送方法が提供される。
【０００７】
本願のこの実施形態において、複数の低次変調信号は、送信予定の信号である。複数の低次変調信号は、Ｎ個の高次変調信号に組み合わされ、Ｎ個の高次変調信号は、Ｎ個のサブキャリアで伝送され、ここで、Ｎ個のサブキャリアは、Ｍ個のチャネルの周波数領域リソースにおけるサブキャリアである。これにより、ダイバーシティ利得の効率を改善できる。
【０００８】
任意選択で、複数の低次変調信号を組み合わせてＮ個の高次変調信号にすることは、複数の低次変調信号およびチャネル行列Ｑに基づいて、Ｎ個の高次変調信号を決定することを含む。
【０００９】
本明細書において、高次変調信号は、複数の低次変調信号の組み合わせに分割され得る。例えば、高次変調信号は、チャネル行列Ｑと、複数の低次変調信号を含む列ベクトルとを乗算することによって取得され得る。
【００１０】
第１の態様に関連して、第１の可能な実装において、Ｎ個のサブキャリアでＮ個の高次変調信号を伝送することは、Ｍ個のチャネルにおける第ｍのチャネルのｋ個のサブキャリアで、Ｎ個の高次変調信号のうちのｋ個を伝送することを含み、ここで、Ｎ＝Ｍ×ｋであり、ｋは２より大きい整数であり、ｍ＝１，２，...，Ｍである。
【００１１】
ここで、複数の高次変調信号は、複数のチャネルの複数のサブキャリアで伝送され得る。具体的には、複数の高次変調信号におけるｋ個の高次変調信号は、Ｍ個のチャネルにおける第ｍのチャネルのｋ個のサブキャリアで伝送され、それにより、効率的にダイバーシティ利得を実装する。Ｎ＝Ｍ×ｋであり、ｋは２より大きい整数であり、ｍ＝１，２，...，Ｍである。
【００１２】
第１の態様、または、第１の態様の第１の可能な実装に関連して、第２の可能な実装において、Ｍ＝２かつＮ＝４であるとき、Ｍ個のチャネルは第１チャネルおよび第２チャネルであり、Ｎ個のサブキャリアは第１サブキャリア、第２サブキャリア、第３サブキャリアおよび第４サブキャリアであり、Ｎ個の高次変調信号は第１高次変調信号ｘ１、第２高次変調信号ｘ２、第３高次変調信号ｘ３および第４高次変調信号ｘ４であり、Ｎ個の高次変調信号をＮ個のサブキャリアで伝送する段階は、第１チャネルの第１サブキャリアで第１高次変調信号ｘ１を伝送する段階と、第２高次変調信号ｘ２を第２チャネルの第２サブキャリアで伝送する段階と、第３高次変調信号ｘ３を第１チャネルの第３サブキャリアで伝送する段階と、第４高次変調信号ｘ４を第２チャネルの第４サブキャリアで伝送する段階とを含む。
【００１３】
任意選択で、複数の低次変調信号は、ｓ１、ｓ２、ｓ３、ｓ４であり、チャネル行列Ｑは、
【数１】
2019522938.tif 000003
のいずれか１つである。
【００１４】
第１の態様、または、第１の態様の第１の可能な実装に関連して、第３の可能な実装において、Ｍ＝３かつＮ＝９であるとき、Ｍ個のチャネルは第１チャネル、第２チャネルおよび第３チャネルであり、Ｎ個のサブキャリアは第１サブキャリア、第２サブキャリア、第３サブキャリア、第４サブキャリア、第５サブキャリア、第６サブキャリア、第７サブキャリア、第８サブキャリアおよび第９サブキャリアであり、Ｎ個の高次変調信号は第１高次変調信号ｘ１、第２高次変調信号ｘ２、第３高次変調信号ｘ３、第４高次変調信号ｘ４、第５高次変調信号ｘ５、第６高次変調信号ｘ６、第７高次変調信号ｘ７、第８高次変調信号ｘ８および第９高次変調信号ｘ９であり、Ｎ個の高次変調信号をＮ個のサブキャリアで伝送する段階は、第１高次変調信号ｘ１を第１チャネルの第１サブキャリアで伝送する段階と、第２高次変調信号ｘ２を第２チャネルの第２サブキャリアで伝送する段階と、第３高次変調信号ｘ３を第３チャネルの第３サブキャリアで伝送する段階と、第４高次変調信号ｘ４を第１チャネルの第４サブキャリアで伝送する段階と、第５高次変調信号ｘ５を第２チャネルの第５サブキャリアで伝送する段階と、第６高次変調信号ｘ６を第３チャネルの第６サブキャリアで伝送する段階と、第７高次変調信号ｘ７を第１チャネルの第７サブキャリアで伝送する段階と、第８高次変調信号ｘ８を第２チャネルの第８サブキャリアで伝送する段階と、第９高次変調信号ｘ９を第３チャネルの第９サブキャリアで伝送する段階とを含む。
【００１５】
任意選択で、複数の低次変調信号は、ｓ１、ｓ２、ｓ３、ｓ４、ｓ５、ｓ６、ｓ７、ｓ８、ｓ９であり、チャネル行列Ｑは
【数２】
2019522938.tif 000004
である。
【００１６】
第１の態様に関連して、第４の可能な実装において、Ｎ個のサブキャリアでＮ個の高次変調信号を伝送する段階は、Ｎ個のサブバンドのＮ個のサブキャリアでＮ個の高次変調信号を伝送する段階であって、Ｎ個のサブキャリアにおける第ｎのサブキャリアは、Ｎ個のサブバンドにおける第ｎのサブバンドのサブキャリアであり、Ｎ個のサブバンドはＭ個のチャネルの周波数領域リソースにおけるサブバンドである、段階を含む。
【００１７】
ここで、複数の高次変調信号は、複数のサブバンドの複数のサブキャリアで伝送され得る。複数のサブバンドは、ワイドバンドチャネルの周波数領域リソースに基づく分割を通して取得される。
【００１８】
第１の態様の第４の可能な実装に関連して、第５の可能な実装において、Ｎ＝４であるとき、Ｎ個のサブバンドは、第１サブバンド、第２サブバンド、第３サブバンドおよび第４サブバンドであり、Ｎ個のサブキャリアは、第１サブキャリア、第２サブキャリア、第３サブキャリアおよび第４サブキャリアであり、Ｎ個の高次変調信号は、第１高次変調信号
【数３】
2019522938.tif 000005
、第２高次変調信号
【数４】
2019522938.tif 000006
、第３高次変調信号
【数５】
2019522938.tif 000007
および第４高次変調信号
【数６】
2019522938.tif 000008
であり、ｘ１＊はｘ１の共役であり、ｘ２＊はｘ２の共役であり、Ｎ個のサブバンドのＮ個のサブキャリアでＮ個の高次変調信号を伝送する段階は、第１サブバンドの第１サブキャリアで第１高次変調信号
【数７】
2019522938.tif 000009
を伝送する段階と、第２サブバンドの第２サブキャリアで第２高次変調信号
【数８】
2019522938.tif 000010
を伝送する段階と、第３サブバンドの第３サブキャリアで第３高次変調信号
【数９】
2019522938.tif 000011
を伝送する段階と、第４サブバンドの第４サブキャリアで第４高次変調信号
【数１０】
2019522938.tif 000012
を伝送する段階とを含む。
【００１９】
任意選択で、複数の低次変調信号は、ｓ１およびｓ２であり、チャネル行列Ｑは、
【数１１】
2019522938.tif 000013
であるか、または、チャネル行列Ｑは、
【数１２】
2019522938.tif 000014
である。
【００２０】
第１の態様の第４の可能な実装に関連して、第６の可能な実装において、Ｎ＝３であるとき、Ｎ個のサブバンドは、第１サブバンド、第２サブバンドおよび第３サブバンドであり、Ｎ個のサブキャリアは、第１サブキャリア、第２サブキャリアおよび第３サブキャリアであり、Ｎ個の高次変調信号は、第１高次変調信号
【数１３】
2019522938.tif 000015
、第２高次変調信号
【数１４】
2019522938.tif 000016
、第３高次変調信号
【数１５】
2019522938.tif 000017
であり、Ｎ個のサブバンドのＮ個のサブキャリアでＮ個の高次変調信号を伝送する段階は、第１サブバンドの第１サブキャリアで第１高次変調信号
【数１６】
2019522938.tif 000018
を伝送する段階と、第２サブバンドの第２サブキャリアで第２高次変調信号
【数１７】
2019522938.tif 000019
を伝送する段階と、第３サブバンドの第３サブキャリアで第３高次変調信号
【数１８】
2019522938.tif 000020
を伝送する段階とを含む。
【００２１】
任意選択で、複数の低次変調信号は、ｓ１、ｓ２およびｓ３であり、チャネル行列Ｑは、
【数１９】
2019522938.tif 000021
である。
【００２２】
第２態様によれば、信号伝送装置が提供される。装置は、第１の態様または第１の態様の任意の可能な実装における方法を実行するよう構成される。具体的には、装置は、第１の態様または第１の態様の任意の可能な実装における方法を実行するよう構成されるユニットを備える。
【００２３】
第３態様によれば、信号伝送装置が提供される。装置は、受信機、送信機、メモリ、プロセッサおよびバスシステムを備える。受信機、送信機、メモリおよびプロセッサは、バスシステムを使用することによって接続される。メモリは、命令を記憶するよう構成される。プロセッサは、受信機を制御して信号を受信するために、および、送信機を制御して信号を送信するために、メモリに記憶された命令を実行するよう構成される。加えて、メモリに記憶された命令をプロセッサが実行するとき、プロセッサは、第１の態様または第１の態様の任意の可能な実装における方法を実行することが可能である。
【００２４】
第４態様によれば、コンピュータ可読媒体が提供される。コンピュータ可読媒体は、コンピュータプログラムを記憶するよう構成される。コンピュータプログラムは、第１の態様または第１の態様の任意の可能な実装における方法を実行するために使用される命令を含む。
【図面の簡単な説明】
【００２５】
【図１】本願の実施形態に係るチャネル分割の概略図である。
【００２６】
【図２】本願の実施形態に係る適用シナリオの概略図である。
【００２７】
【図３】直交位相偏移変調のコンスタレーション図の概略図である。
【００２８】
【図４】１６直交振幅変調のコンスタレーション図の概略図である。
【００２９】
【図５】６４直交振幅変調のコンスタレーション図の概略図である。
【００３０】
【図６】６４直交振幅変調のコンスタレーション図の別の概略図である。
【００３１】
【図７】２５６直交振幅変調のコンスタレーション図の概略図である。
【００３２】
【図８】本願の実施形態に係る信号伝送方法の概略フローチャートである。
【００３３】
【図９】チャネルアグリゲーションの概略的な原理図である。
【００３４】
【図１０】本願の実施形態に係る２チャネルアグリゲーションの例の概略図である。
【００３５】
【図１１】本願の実施形態に係る２チャネルアグリゲーションの別の例の概略図である。
【００３６】
【図１２】本願の実施形態に係る２チャネルアグリゲーションの別の例の概略図である。
【００３７】
【図１３】本願の実施形態に係る２チャネルアグリゲーションの別の例の概略図である。
【００３８】
【図１４】本願の実施形態に係る２チャネルアグリゲーションの別の例の概略図である。
【００３９】
【図１５】本願の実施形態に係る２チャネルアグリゲーションの更に別の例の概略図である。
【００４０】
【図１６】本願の実施形態に係る３チャネルアグリゲーションの例の概略図である。
【００４１】
【図１７】本願の実施形態に係る３チャネルアグリゲーションの別の例の概略図である。
【００４２】
【図１８】ワイドバンドチャネルのデータ構造の概略図である。
【００４３】
【図１９】本願の実施形態に係るワイドバンドチャネルの例の概略図である。
【００４４】
【図２０】本願の実施形態に係るワイドバンドチャネルの別の例の概略図である。
【００４５】
【図２１】本願の実施形態に係る信号伝送装置の概略ブロック図である。
【００４６】
【図２２】本願の実施形態に係る信号伝送装置の概略的な構造図である。
【発明を実施するための形態】
【００４７】
以下では、添付図面に関連して、本願の実施形態における技術的解決法を明確に説明する。
【００４８】
本願の実施形態における技術的解決法は、様々な通信システム、例えば、グローバルシステムフォーモバイルコミュニケーション（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ（登録商標））、符号分割多重アクセス（Ｃｏｄｅ  Ｄｉｖｉｓｉｏｎ  Ｍｕｌｔｉｐｌｅ  Ａｃｃｅｓｓ、ＣＤＭＡ）システム、ワイドバンド符号分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）システム、および、ユニバーサルモバイル通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）に適用され得ることを理解すべきである。
【００４９】
図１に示されるように、本願の実施形態にけるチャネルは、無料の６０ＧＨｚ周波数帯域を分割することによって取得された４個のチャネルであり、図１におけるシーケンス番号１、２、３および４に対応する。４個のチャネルは各々、２．１６ＧＨｚの帯域幅を有し、４個のチャネルに対応する中心周波数は、それぞれ、５８．３２０ＧＨｚ、６０．４８０ＧＨｚ、６２．６４０ＧＨｚおよび６４．８００ＧＨｚであることに留意すべきである。
【００５０】
図２は、適用シナリオの概略図である。本願の実施形態における技術的解決法は、ワイヤレス・フィディリティ（Ｗｉｒｅｌｅｓｓ  Ｆｉｄｅｌｉｔｙ、Ｗｉ−Ｆｉ）ネットワークにおけるアクセスポイント（Ａｃｃｅｓｓ  ｐｏｉｎｔ、ＡＰ）と局（Ｓｔａｔｉｏｎ、ＳＴＡ）との間の通信に適用され得る。図２に示されるように、ＳＴＡ１  １０２およびＳＴＡ２  １０２は、ＡＰ１０１に接続される。ＡＰ１０１は、無線信号を使用することによってＳＴＡ  １０２と通信し得る。通常、通信に使用される無線信号は、特定の変調方式を使用することによって送信および受信され、変調方式は、２種類のシングルキャリア変調およびマルチキャリア変調に分類される。
【００５１】
本願の実施形態は、図２における適用シナリオのみを例として使用することによって説明されることを理解すべきである。しかしながら、本願はそれに限定されるものではない。例えば、図２において、ＳＴＡ１  １０２およびＳＴＡ２  １０２は、説明のための例として使用され、システムは、より多くのＳＴＡをさらに備え得る。
【００５２】
図２におけるＳＴＡは、端末（Ｔｅｒｍｉｎａｌ）、移動局（Ｍｏｂｉｌｅ  Ｓｔａｔｉｏｎ，  ＭＳ）、モバイル端末（Ｍｏｂｉｌｅ  Ｔｅｒｍｉｎａｌ）または同様のものであり得て、例えば、ノートブックコンピュータまたは携帯電話デバイスであり得ることをさらに理解すべきである。端末は、無線アクセスネットワーク（Ｒａｄｉｏ  Ａｃｃｅｓｓ  Ｎｅｔｗｏｒｋ、ＲＡＮ）を介して１または複数のコアネットワークと通信し得る。例えば、端末は、携帯電話（または「セルラー方式」電話とも称される）、または、モバイル端末を有するコンピュータであり得る。例えば、端末は代替的に、音声および／またはデータを無線アクセスネットワークと交換する、ポータブル、ポケットサイズ、ハンドヘルド、コンピュータ内蔵、または、車載のモバイル装置であり得る。図２におけるＡＰは、ＳＴＡとネットワークとの間の通信を提供するよう構成され、端末がネットワークにアクセスするアクセスポイントである。
【００５３】
本願の実施形態は、ＷＬＡＮシステムにおけるＡＰおよびＳＴＡのみを例として使用することによって説明されるが、本願はそれに限定されるものではない。本願の実施形態に係る方法および装置は、別の通信システムにおける基地局およびユーザ機器にも適用され得る。同様に、本願の実施形態は、ＷＬＡＮシステムのみを例として使用することによって説明されるが、本願はそれに限定されるものではないことをさらに理解すべきである。本願の実施形態に係る方法および装置は、別の通信システムにも適用され得る。
【００５４】
現在のＷｉ−Ｆｉ技術において、米国電気電子技術者協会（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ、ＩＥＥＥ）８０２．１１ａｄ技術を実装するための解決法の１つは、直交周波数分割多重方式（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）システムである。本願の実施形態における技術的解決法はＯＦＤＭシステムに適用され得る。ＯＦＤＭは、マルチキャリア変調方式であり、符号間干渉の影響を低減および削減することによってチャネルの周波数選択的フェージングを克服する。ＯＦＤＭによってサポートされる変調方式は、スタッガード直交位相偏移変調（ｓｔａｇｇｅｒｅｄ  ｑｕａｄｒｉｐｈａｓｅ  ｓｈｉｆｔ  ｋｅｙｉｎｇ、ＳＱＰＳＫ）、直交位相偏移変調（Ｑｕａｄｒａｔｕｒｅ  Ｐｈａｓｅ  Ｓｈｉｆｔ  Ｋｅｙｉｎｇ、ＱＰＳＫ）、１６直交振幅変調（Ｑｕａｄｒａｔｕｒｅ  Ａｍｐｌｉｔｕｄｅ  Ｍｏｄｕｌａｔｉｏｎ、ＱＡＭ）および３２ＱＡＭを含む。デュアルキャリア変調（Ｄｕａｌ  Ｃａｒｒｉｅｒ  Ｍｏｄｕｌａｔｉｏｎ、ＤＣＭ）方法はＳＱＰＳＫおよびＱＰＳＫのために使用される。
【００５５】
ＤＣＭは、周波数ダイバーシティを使用することによって送信性能を改善するための方法である。例えば、２個の送信予定の信号ｓ１、ｓ２について、２個の信号を組み合わせることによって生成される信号
【数２０】
2019522938.tif 000022
および
【数２１】
2019522938.tif 000023
が異なる周波数（キャリア）で同時に送信される。例えば、周波数ダイバーシティの効果を達成するために、信号ｘ１、ｘ２はそれぞれ、周波数ｆ１および周波数ｆ２で送信される。ｓ１、ｓ２は、
【数２２】
2019522938.tif 000024
として表現され得る。本明細書において、ＤＣＭでは、信号ｓ１、ｓ２およびｘ１、ｘ２は、典型的なコンスタレーション図における点である必要がある。例えば、典型的な実装において、ｓ１、ｓ２がＱＰＳＫ信号であるとき、Ｑとｓ１、ｓ２とが乗算され、その結果、２個の１６ＱＡＭ信号ｘ１、ｘ２を生成でき、ここで、
【数２３】
2019522938.tif 000025
である。
【００５６】
しかしながら、既存の８０２．１１ａｄ規格においては、信号伝送のために同時に使用できるのは、１個のチャネルのみである。従って、伝送のスループットは相対的に低く、より多くのダイバーシティを柔軟に実装できない。従って、本願では、信号が複数のチャネルの複数のサブキャリアで伝送される解決法を提供する。本願における信号伝送の中心的思想は、複数のチャネルおよび複数のサブキャリアが組み合わされて複数のチャネルで信号を伝送することである。これにより、ダイバーシティ利得の効率を改善できる。
【００５７】
本願の実施形態において、信号が複数のチャネルで伝送されるとき、「複数の低次変調信号の組み合わせへの高次変調信号の分割」の関連内容が含まれる。以下ではまず、高次変調信号が複数の低次変調信号の組み合わせに分割され得ることの関連内容を詳細に説明する。説明を容易にするべく、以下では、高次変調信号を示すためにｘを使用し、低次変調信号を示すためにｓを使用する。高次変調信号および低次変調信号は、行列の形式で表現され得る。具体的には以下の場合が含まれる。
【００５８】
１）ＱＰＳＫ＝二位相偏移変調（Ｂｉｎａｒｙ  Ｐｈａｓｅ  Ｓｈｉｆｔ  Ｋｅｙｉｎｇ、ＢＰＳＫ）＋ＢＰＳＫ
【００５９】
高次変調信号がＱＰＳＫ信号であるとき、ＱＰＳＫ信号ｘは、２個の低次変調信号、すなわちＢＰＳＫ信号の組み合わせに分割され得る。ＱＰＳＫ信号ｘの値は、
【数２４】
2019522938.tif 000026
であり得る。
【００６０】
例えば、図３は、ＱＰＳＫのコンスタレーション図の概略図である。図３に示されるように、図における４個の黒色の点は、ＱＰＳＫ信号ｘの値に対応する。
【００６１】
具体的には、ｘは、２個のＢＰＳＫ信号ｓ１、ｓ２の組み合わせに分割され得て、
【数２５】
2019522938.tif 000027
として表現される。ｓ１の値は｛１，−１｝を含み、ｓ２の値は｛１，−１｝を含む。α１、α２の組み合わせ方式には２つある。表１は、α１、α２の組み合わせ係数を示す。
［表１  ＱＰＳＫ＝ＢＰＳＫ＋ＢＰＳＫにおける組み合わせ係数］
【表１】
2019522938.tif 000028
【００６２】
２）１６ＱＡＭ＝ＱＰＳＫ＋ＱＰＳＫ
【００６３】
高次変調信号が１６ＱＡＭ信号であるとき、１６ＱＡＭ信号ｘは、２個の低次変調信号、すなわちＱＰＳＫ信号の組み合わせに分割され得る。１６ＱＡＭ信号ｘの値は、
【数２６】
2019522938.tif 000029
であり得る。
【００６４】
例えば、図４は、１６ＱＡＭのコンスタレーション図の概略図である。図４に示されるように、図における１６個の黒色の点は、１６ＱＡＭ信号ｘの値に対応する。
【００６５】
具体的には、ｘは、２個のＱＰＳＫ信号ｓ１、ｓ２の組み合わせに分割され、
【数２７】
2019522938.tif 000030
として表現され得る。ｓ１の値は、
【数２８】
2019522938.tif 000031
を含み、ｓ２の値は、
【数２９】
2019522938.tif 000032
を含む。α１、α２の組み合わせ方式には４つある。表２は、α１、α２の組み合わせ係数を示す。
［表２  １６ＱＡＭ＝ＱＰＳＫ＋ＱＰＳＫにおける組み合わせ係数］
【表２】
2019522938.tif 000033
【００６６】
α１、α２は、α１、α２の４個の上述の方式に基づいてｘの数式に代入され、
【数３０】
2019522938.tif 000034
がこれに対応して取得され得る。
【００６７】
３）６４ＱＡＭ＝ＱＰＳＫ＋ＱＰＳＫ＋ＱＰＳＫ
【００６８】
高次変調信号が６４ＱＡＭ信号であるとき、６４ＱＡＭ信号ｘは、３個の低次変調信号、すなわちＱＰＳＫ信号の組み合わせに分割され得る。６４ＱＡＭ信号ｘの値は、
【数３１】
2019522938.tif 000035
であり得る。
【００６９】
例えば、図５は、６４ＱＡＭのコンスタレーション図の概略図である。図５に示されるように、図における６４個の黒色の点は、６４ＱＡＭ信号ｘの値に対応する。
【００７０】
具体的には、ｘは３個のＱＰＳＫ信号ｓ１、ｓ２、ｓ３の組み合わせに分割され、
【数３２】
2019522938.tif 000036
で表現され得る。ｓ１の値は
【数３３】
2019522938.tif 000037
を含み、ｓ２の値は
【数３４】
2019522938.tif 000038
を含み、ｓ３の値は
【数３５】
2019522938.tif 000039
を含む。α１、α２、α３には、複数の組み合わせ方式があり、ここでは、２４種類の組み合わせ方式を列挙する。  表３は、α１、α２、α３の組み合わせ係数を示す。
［表３  ６４ＱＡＭ＝ＱＰＳＫ＋ＱＰＳＫ＋ＱＰＳＫにおけるα１、α２、α３の組み合わせ係数］
【表３】
2019522938.tif 000040
【００７１】
上述の２４の組み合わせは、以下の方式で生成される。
【００７２】
まず、表３におけるα１、α２、α３の基本組み合わせ係数に基づいて、８個の基本組み合わせがｘのために生成され、換言すれば、
【数３６】
2019522938.tif 000041
である。ｘの８個の基本組み合わせの値は、
【数３７】
2019522938.tif 000042
である。
【００７３】
次に、８個の基本組み合わせの各々に対して２回の巡回シフトが実行され、各シフト後に、８組の値が生成される。
【００７４】
【数３８】
2019522938.tif 000043
については、１ビットの巡回シフト後に
【数３９】
2019522938.tif 000044
が取得され、２ビットの巡回シフト後に
【数４０】
2019522938.tif 000045
が取得される。ｘが巡回シフトされた後に取得される他の値は同様であり、詳細は説明しない。
【００７５】
４）６４ＱＡＭ＝ＱＰＳＫ＋１６ＱＡＭ
【００７６】
高次変調信号が６４ＱＡＭ信号であるとき、６４ＱＡＭ信号ｘは代替的に、１個の低次変調信号、すなわちＱＰＳＫ信号、および、１個の１６ＱＡＭ信号の組み合わせに分割され得る。６４ＱＡＭ信号ｘの値は、
【数４１】
2019522938.tif 000046
であり得る。
【００７７】
例えば、図６は、６４ＱＡＭのコンスタレーション図の別の概略図である。図６に示されるように、図における６４個の黒色の点は、６４ＱＡＭ信号ｘの値に対応する。
【００７８】
具体的には、ｘは、１個のＱＰＳＫ信号ｓ１、および、１個の１６ＱＡＭ信号ｓ２の組み合わせに分割され、
【数４２】
2019522938.tif 000047
として表現され得る。ｓ１の値は、
【数４３】
2019522938.tif 000048
を含み、ｓ２の値は、
【数４４】
2019522938.tif 000049
を含む。α１、α２の組み合わせ方式には４つある。表４は、α１、α２の組み合わせ係数を示す。
［表４  ６４ＱＡＭ＝ＱＰＳＫ＋１６ＱＡＭにおけるα１、α２の組み合わせ係数］
【表４】
2019522938.tif 000050
【００７９】
α１、α２は、α１、α２の４個の上述の方式に基づいてｘの数式に代入され、
【数４５】
2019522938.tif 000051
がこれに対応して取得され得る。
【００８０】
５）２５６ＱＡＭ＝ＱＰＳＫ＋ＱＰＳＫ＋ＱＰＳＫ＋ＱＰＳＫ
【００８１】
高次変調信号が２５６ＱＡＭ信号であるとき、２５６ＱＡＭ信号ｘは代替的に、４個のＱＰＳＫ信号の組み合わせに分割され得る。２５６ＱＡＭ信号ｘの値は、
【数４６】
2019522938.tif 000052
であり得る。
【００８２】
例えば、図７は、２５６ＱＡＭのコンスタレーション図の概略図である。図７に示されるように、図における２５６個の黒色の点は、２５６ＱＡＭ信号ｘの値に対応する。
【００８３】
具体的には、ｘは、４個のＱＰＳＫ信号ｓ１、ｓ２、ｓ３、ｓ４の組み合わせに分割され、
【数４７】
2019522938.tif 000053
として表現され得る。ｓ１の値は、
【数４８】
2019522938.tif 000054
を含み、ｓ２の値は、
【数４９】
2019522938.tif 000055
を含み、ｓ３の値は、
【数５０】
2019522938.tif 000056
を含み、ｓ４の値は、
【数５１】
2019522938.tif 000057
を含む。α１、α２、α３、α４には、複数の組み合わせ方式があり、ここでは、６４種類の組み合わせ方式を列挙する。表５は、α１、α２、α３、α４の組み合わせ係数を示す。
［表５  ２５６ＱＡＭ＝ＱＰＳＫ＋ＱＰＳＫ＋ＱＰＳＫ＋ＱＰＳＫにおけるα１、α２、α３、α４の組み合わせ係数］
【表５】
2019522938.tif 000058
【００８４】
上述の６４の組み合わせは、以下の方式で生成される。
【００８５】
まず、表５におけるα１、α２、α３、α４の基本組み合わせ係数に基づいて、１６個の基本組み合わせがｘのために生成され、換言すれば、
【数５２】
2019522938.tif 000059
であり、
【数５３】
2019522938.tif 000060
である。
【００８６】
次に、１６個の基本組み合わせの各々に対して３回の巡回シフトが実行され、各シフト後に１６組の値が生成される。
【００８７】
例えば、
【数５４】
2019522938.tif 000061
は、
【数５５】
2019522938.tif 000062
が１ビット巡回シフトされた後に取得され、
【数５６】
2019522938.tif 000063
は、
【数５７】
2019522938.tif 000064
が２ビット巡回シフトされた後に取得され、
【数５８】
2019522938.tif 000065
は、
【数５９】
2019522938.tif 000066
が３ビット巡回シフトされた後に取得される。ｘの他の値が巡回シフトされた後に取得された値は同様であり、ここでは詳細を説明しない。
【００８８】
上記では、いくつかの高次変調信号を低次変調信号に分割する複数の場合を列挙した。高次変調信号が分割されて生じる低次変調信号の組み合わせにはより多くの形式があり得ることを理解すべきである。これは限定されるものではない。
【００８９】
図８、本願の実施形態に係る信号伝送方法３００の概略フローチャートである。図８に示されるように、方法３００は、以下の段階を備える。
【００９０】
Ｓ３１０．複数の低次変調信号を組み合わせてＮ個の高次変調信号にする。
【００９１】
Ｓ３２０．Ｎ個のサブキャリアでＮ個の高次変調信号を伝送し、ここで、Ｎ個のサブキャリアは、Ｍ個のチャネルの周波数領域リソースにおけるサブキャリアであり、Ｎ個の高次変調信号における第ｎの高次変調信号は、Ｎ個のサブキャリアにおける第ｎのサブキャリアで伝送され、Ｎは２以上の整数であり、Ｍは２以上の整数であり、ｎ＝１，２，...，Ｎである。
【００９２】
具体的には、信号伝送装置は、複数の低次変調信号を組み合わせてＮ個の高次変調信号にし、次に、Ｎ個のサブキャリアでＮ個の高次変調信号を伝送する。Ｎ個のサブキャリアは、複数の（例えばＭ個の）チャネルの周波数領域リソースにおけるサブキャリアである。Ｎ個の高次変調信号における第ｎの高次変調信号は、Ｎ個のサブキャリアにおける第ｎのサブキャリアで伝送され、Ｎは２以上の整数であり、Ｍは２以上の整数であり、ｎ＝１，２，...，Ｎである。
【００９３】
本願のこの実施形態において、送信予定の信号は低次変調信号であり、低次変調信号は高次変調信号に組み合わされ、送信予定の低次変調信号は高次変調信号を使用することによって複数のチャネルで伝送される。
【００９４】
本願のこの実施形態において、複数の低次変調信号の数は、Ｎであり得る、または、Ｎ／２であり得る。これは限定されるものではない。例えば、２個の低次変調信号および対応する共役信号がサブキャリアで伝送されるとき、４個の対応する高次変調信号は４個のサブキャリアで伝送される。
【００９５】
本願のこの実施形態において、Ｎ個のサブキャリアがＭ個のチャネルの周波数領域リソースにおけるサブキャリアであることは、以下の場合を含む。第１の場合において、Ｎ個のサブキャリアは、Ｍ個のチャネルにおけるチャネル上のサブキャリアである。第２の場合において、Ｎ個のサブキャリアは、Ｎ個のサブバンドにおけるサブバンド上のサブキャリアであり、Ｎ個のサブバンドは、周波数領域リソースを使用することによってワイドバンドチャネルを分割することによって取得されるサブバンドである。
【００９６】
本願のこの実施形態において、ＮおよびＭは両方、２以上の整数である。Ｎは、複数の高次変調信号を示すために、または、複数のサブキャリアを示すために導入され、第ｎの高次変調信号は、第ｎのサブキャリアで伝送される。Ｍは、複数のチャネルを示すために導入され、Ｎ個のサブキャリアは、Ｍ個のチャネルの周波数領域リソース上のサブキャリアである。サブキャリア数Ｎとチャネル数Ｍとの間の関係は、具体的状況に関連して選択され得る。例えば、２個のチャネル上に４個のサブキャリア、または、３個のチャネル上に９個のサブキャリアが存在し得る。これは限定されるものではない。
【００９７】
従って、本願のこの実施形態における信号伝送方法において、複数の低次変調信号は、Ｎ個の高次変調信号に組み合わされ、Ｎ個の高次変調信号は、Ｎ個のサブキャリアで伝送され、ここで、Ｎ個のサブキャリアは、Ｍ個のチャネルの周波数領域リソースにおけるサブキャリアである。これにより、ダイバーシティ利得の効率を改善できる。
【００９８】
任意選択で、本願のこの実施形態において、複数の低次変調信号を組み合わせてＮ個の高次変調信号にすることは、複数の低次変調信号およびチャネル行列Ｑに基づいて、Ｎ個の高次変調信号を決定することを含む。
【００９９】
具体的には、例えば、複数の低次変調信号の複数の高次変調信号が決定されるとき、Ｎ個の高次変調信号を取得するべく、複数の低次変調信号を含む列ベクトルは、チャネル行列Ｑで乗算され得る。例えば、具体的な操作については、高次変調信号を低次変調信号に分割する上述の複数の場合を参照されたい。ここでは詳細を再度説明しない。
【０１００】
本願のこの実施形態において、複数のサブキャリアは、複数のチャネルにおけるサブキャリアである、または、複数のサブキャリアは、複数のサブバンドにおけるサブキャリアであり、ここで、複数のサブバンドは、ワイドバンドチャネルの周波数領域リソースに基づく分割を通して取得される。
【０１０１】
本願のこの実施形態における技術的解決法において、チャネルアグリゲーション（ｃｈａｎｎｅｌ  ａｇｇｒｅｇａｔｉｏｎ）の解決法またはワイドバンドチャネル（ｗｉｄｅｂａｎｄ）の解決法が伝送に使用され得る。ここで、「複数のサブキャリアが複数のチャネルにおけるサブキャリアである」ことは、「チャネルアグリゲーション」の解決法に対応し、「複数のサブキャリアが複数のサブバンドにおけるサブキャリアである」ことは、「ワイドバンドチャネル」の解決法に対応する。
【０１０２】
以下では、「チャネルアグリゲーション」シナリオまたは「ワイドバンドチャネル」シナリオという２個の適用シナリオにおける本願の技術的解決法を詳細に説明する。
【０１０３】
まず、複数の「チャネルアグリゲーション」の場合において、本願のこの実施形態を説明する。具体的な実施形態が説明されるので、「チャネルアグリゲーション」の具体的な実装原理はまず、図９を参照して説明される。ここでは、３個のチャネルがある例が説明のために使用される。図９に示されるように、チャネル１のデータは符号化および変調を受け、次に、対応するキャリア周波数信号
【数６０】
2019522938.tif 000067
で乗算され、チャネル２のデータは、符号化および変調を受け、次に、対応するキャリア周波数信号
【数６１】
2019522938.tif 000068
で乗算され、チャネル３のデータは、符号化および変調を受け、次に、対応するキャリア周波数信号
【数６２】
2019522938.tif 000069
で乗算され、最後に、３個のチャネルのデータが重ね合わされて送信される。
【０１０４】
任意選択で、実施形態において、Ｎ個のサブキャリアにおいてＮ個の高次変調信号を伝送することは、Ｍ個のチャネルにおける第ｍのチャネルのｋ個のサブキャリアで、Ｎ個の高次変調信号のうちのｋ個を伝送することを含み、ここで、Ｎ＝Ｍ×ｋであり、ｋは２より大きい整数であり、ｍ＝１，２，...，Ｍである。
【０１０５】
具体的には、複数の高次変調信号は、複数のチャネルの各々の複数のサブキャリアで伝送され得る。例えば、Ｎ個の高次変調信号のうちのｋ個は、Ｍ個のチャネルにおける第ｍのチャネルのｋ個のサブキャリアで伝送される。ここで、Ｎ＝Ｍ×ｋであり、ｋは２より大きい整数であり、ｍ＝１，２，...，Ｍである。例えば、ｋ＝３、Ｍ＝３、Ｎ＝９であるとき、９個の高次変調信号のうち３個は、３個のチャネルにおける１個のチャネル（例えば、第ｍのチャネル）の３個のサブキャリアで伝送される（すなわち、３個のチャネルが集約されるとき、９個の高次変調信号は９個のサブキャリアで伝送される）。
【０１０６】
ここでは、ｍおよびＭは、複数のチャネルのうち１個を示すために導入されているが、本願に対して具体的な限定を構成しないことを理解すべきである。当然、例えばＮ個の高次変調信号のうちのｋ個など、他の導入された文字の機能は同様である。これは限定されるものではない。
【０１０７】
換言すれば、高次変調信号は、異なるチャネルにおいて別個に伝送される。このように、本願と、１個のチャネルのみで伝送が実行される従来技術との間の違いは、複数の高次変調信号が複数のチャネルのサブキャリアで伝送され、それにより、周波数ダイバーシティ利得の効率を改善するという点である。ここで、周波数ダイバーシティ利得が生成される理由は、チャネルが周波数領域選択フェージングを有するからである。１個のチャネルで伝送される信号が複数のチャネルに分散され、次に、チャネル行列Ｑを使用することによって、分散された信号が是正される場合、信号の正確度が改善し、周波数ダイバーシティ利得も実装される。
【０１０８】
従って、本願のこの実施形態における信号伝送方法において、複数の低次変調信号は、Ｎ個の高次変調信号に組み合わされ、Ｎ個の高次変調信号は、Ｎ個のサブキャリアで伝送され、ここで、Ｎ個のサブキャリアは、Ｍ個のチャネルの周波数領域リソースにおけるサブキャリアである。具体的には、Ｎ個の高次変調信号のうちのｋ個は、Ｍ個のチャネルにおける第ｍのチャネルのｋ個のサブキャリアで伝送される。これにより、ダイバーシティ利得の効率を改善できる。
【０１０９】
任意選択で、実施形態において、Ｍ＝２かつＮ＝４であるとき、Ｍ個のチャネルは第１チャネルおよび第２チャネルであり、Ｎ個のサブキャリアは第１サブキャリア、第２サブキャリア、第３サブキャリアおよび第４サブキャリアであり、Ｎ個の高次変調信号は第１高次変調信号ｘ１、第２高次変調信号ｘ２、第３高次変調信号ｘ３および第４高次変調信号ｘ４であり、Ｎ個の高次変調信号をＮ個のサブキャリアで伝送する段階は、第１チャネルの第１サブキャリアで第１高次変調信号ｘ１を伝送する段階と、第２高次変調信号ｘ２を第２チャネルの第２サブキャリアで伝送する段階と、第３高次変調信号ｘ３を第１チャネルの第３サブキャリアで伝送する段階と、第４高次変調信号ｘ４を第２チャネルの第４サブキャリアで伝送する段階とを含む。
【０１１０】
例えば、４個の高次変調信号ｘ１、ｘ２、ｘ３およびｘ４は、チャネル行列Ｑを４個の低次変調信号ｓ１、ｓ２、ｓ３およびｓ４で乗算することによって取得され得て、具体的には、以下のように表現される。
【数６３】
2019522938.tif 000070
【０１１１】
従って、４個の高次変調信号は、２個のチャネルの４個のサブキャリアで伝送される。これにより、ダイバーシティ利得の効率を改善できる。
【０１１２】
本願のこの実施形態における番号「第１、第２、...」は単に、異なるオブジェクトを区別する、例えば、異なる変調信号、異なるサブキャリア、異なるチャネルまたは同様のものを区別することを意図するものであり、本願のこの実施形態に対して限定を構成しないことを理解すべきである。以下の実施形態における番号「第１、第２、...」も、実施形態に対して限定を構成しない。
【０１１３】
図１０は、本願の実施形態に係る２チャネルアグリゲーションの例の概略図である。図１０において示されるように、第１高次変調信号ｘ１は、第１チャネルの第１サブキャリアで伝送され、第２高次変調信号ｘ２は、第２チャネルの第２サブキャリアで伝送され、第３高次変調信号ｘ３は、第１チャネルの第３サブキャリアで伝送され、第４高次変調信号ｘ４は、第２チャネルの第４サブキャリアで伝送される。このように、高次変調信号は、複数のチャネルの複数のサブキャリアで伝送され、それにより、ダイバーシティ利得を実装する。第１サブキャリアおよび第２サブキャリアは同一のシーケンス番号を有し、第３サブキャリアおよび第４サブキャリアは同一のシーケンス番号を有する。第１サブキャリアと第３サブキャリアとの間隔は、データを伝送するためにユーザによって使用されるサブキャリアの数の半分である。
【０１１４】
任意選択で、複数の低次変調信号は、ｓ１、ｓ２、ｓ３、ｓ４であり、チャネル行列Ｑは、
【数６４】
2019522938.tif 000071
のいずれか１つである。.
【０１１５】
以下では、具体的な例に関連して、本願のこの実施形態を詳細に説明する。上述および以下の説明における例は単に、当業者が本願のこの実施形態をより良く理解することを助けることを意図するものであるが、本願のこの実施形態の範囲を限定することを意図するものではないことに留意すべきである。
【０１１６】
２チャネルアグリゲーションに基づくＤＣＭの解決法について、具体的には以下の場合が含まれる。
【０１１７】
１）ＢＰＳＫのために２チャネルアグリゲーションが使用されるとき、高次変調信号および低次変調信号が以下のように表現される。
【数６５】
2019522938.tif 000072
ここで、チャネル行列Ｑは
【数６６】
2019522938.tif 000073
であり、ｓ１、ｓ２、ｓ３、ｓ４はＢＰＳＫ変調信号であり、ｘ１、ｘ２、ｘ３、ｘ４はＱＰＳＫ変調信号であり、ｘ３＝ｘ２'、ｘ４＝ｘ１'、および、（）'は、共役を取得することを意味する。
【０１１８】
例えば、図１１は、本願の実施形態に係る２チャネルアグリゲーションの例の概略図である。図１１に示されるように、この例において、第１高次変調信号ｘ１は、第１チャネルの第１サブキャリアで伝送され、第２高次変調信号ｘ２は、第２チャネルの第２サブキャリアで伝送され、第３高次変調信号ｘ３は、第１チャネルの第３サブキャリアで伝送され、第４高次変調信号ｘ４は、第２チャネルの第４サブキャリアで伝送され、ここで、ｘ３＝ｘ２'、ｘ４＝ｘ１'、および、（）'は、共役を取得することを意味する。
【０１１９】
従って、具体的なこの実装において、４個の高次変調信号は、２個のチャネルの４個のサブキャリアで伝送される。これにより、ダイバーシティ利得の効率を改善できる。
【０１２０】
ｂ．２チャネルアグリゲーションがＢＰＳＫに使用されるとき、高次変調信号および低次変調信号は、
【数６７】
2019522938.tif 000074
として表現され、ここで、チャネル行列Ｑは、
【数６８】
2019522938.tif 000075
であり、ｓ１、ｓ２、ｓ３、ｓ４はＢＰＳＫ変調信号であり、ｘ１、ｘ２、ｘ３、ｘ４は、１６ＱＡＭ変調信号であり、ｘ１、ｘ２、ｘ３、ｘ４は、異なる係数を使用することによってＢＰＳＫ変調信号ｓ１、ｓ２、ｓ３、ｓ４を組み合わることによって取得される。
【０１２１】
例えば、図１２は、本願の実施形態に係る２チャネルアグリゲーションの例の概略図である。図１２において示されるように、この例において、第１高次変調信号ｘ１は、第１チャネルの第１サブキャリアで伝送され、第２高次変調信号ｘ２は、第２チャネルの第２サブキャリアで伝送され、第３高次変調信号ｘ３は、第１チャネルの第３サブキャリアで伝送され、第４高次変調信号ｘ４は、第２チャネルの第４サブキャリアで伝送される。
【０１２２】
従って、具体的なこの実装において、４個の高次変調信号は、２個のチャネルの４個のサブキャリアで伝送される。これにより、ダイバーシティ利得の効率を改善できる。
【０１２３】
（２）２チャネルアグリゲーションがＱＰＳＫに使用されるとき、高次変調信号および低次変調信号は、
【数６９】
2019522938.tif 000076
として表現され、チャネル行列Ｑは、
【数７０】
2019522938.tif 000077
であり、ｓ１、ｓ２、ｓ３、ｓ４は、ＱＰＳＫ変調信号であり、ｘ１、ｘ２、ｘ３、ｘ４は、１６ＱＡＭ変調信号であり、ｘ１、ｘ４は、異なる係数を使用することによって、一組のＱＰＳＫ変調信号ｓ１、ｓ２を組み合わせることによって取得され、ｘ２、ｘ３は、異なる係数を使用することによって、一組のＱＰＳＫ変調信号ｓ３、ｓ４を組み合わせることによって取得される。
【０１２４】
例えば、図１３は、本願の実施形態に係る２チャネルアグリゲーションの例の概略図である。図１３において示されるように、この例において、第１高次変調信号ｘ１は、第１チャネルの第１サブキャリアで伝送され、第２高次変調信号ｘ２は、第２チャネルの第２サブキャリアで伝送され、第３高次変調信号ｘ３は、第１チャネルの第３サブキャリアで伝送され、第４高次変調信号ｘ４は、第２チャネルの第４サブキャリアで伝送される。
【０１２５】
従って、具体的なこの実装において、４個の高次変調信号は、２個のチャネルの４個のサブキャリアで伝送される。これにより、ダイバーシティ利得の効率を改善できる。
【０１２６】
ｂ．２チャネルアグリゲーションがＱＰＳＫに使用されるとき、高次変調信号および低次変調信号は、
【数７１】
2019522938.tif 000078
として表現され得て、ここで、チャネル行列Ｑは、
【数７２】
2019522938.tif 000079
であり、ｓ１、ｓ２、ｓ３、ｓ４は、ＱＰＳＫ変調信号であり、ｘ１、ｘ２、ｘ３、ｘ４は、２５６ＱＡＭ変調信号であり、ｘ１、ｘ２、ｘ３、ｘ４は、異なる係数を使用することによって、４個のＱＰＳＫ変調信号ｓ１、ｓ２、ｓ３、ｓ４を組み合わせることによって取得される。
【０１２７】
例えば、図１４は、本願の実施形態に係る２チャネルアグリゲーションの例の概略図である。図１４において示されるように、この例において、第１高次変調信号ｘ１は、第１チャネルの第１サブキャリアで伝送され、第２高次変調信号ｘ２は、第２チャネルの第２サブキャリアで伝送され、第３高次変調信号ｘ３は、第１チャネルの第３サブキャリアで伝送され、第４高次変調信号ｘ４は、第２チャネルの第４サブキャリアで伝送される。
【０１２８】
従って、具体的なこの実装において、４個の高次変調信号は、２個のチャネルの４個のサブキャリアで伝送される。これにより、ダイバーシティ利得の効率を改善できる。
【０１２９】
（３）２チャネルアグリゲーションがＱＰＳＫおよびＱＡＭに使用されるとき、高次変調信号および低次変調信号は、
【数７３】
2019522938.tif 000080
として表現され、ここで、チャネル行列Ｑは、
【数７４】
2019522938.tif 000081
であり、ｓ１、ｓ２はＱＰＳＫ変調信号、ｓ２、ｓ４は１６ＱＡＭ変調信号、ｘ１、ｘ２、ｘ３、ｘ４は６４ＱＡＭ変調信号であり、ｘ１、ｘ４は、異なる係数を使用することによって、ＱＰＳＫ変調信号ｓ１および１６ＱＡＭ変調信号ｓ２を組み合わせることによって取得され、ｘ２、ｘ３は、異なる係数を使用することによって、ＱＰＳＫ変調信号ｓ３および１６ＱＡＭ変調信号ｓ４を組み合わせることによって取得される。
【０１３０】
例えば、図１５は、本願の実施形態に係る２チャネルアグリゲーションの例の概略図である。図１５において示されるように、この例において、第１高次変調信号ｘ１は、第１チャネルの第１サブキャリアで伝送され、第２高次変調信号ｘ２は、第２チャネルの第２サブキャリアで伝送され、第３高次変調信号ｘ３は、第１チャネルの第３サブキャリアで伝送され、第４高次変調信号ｘ４は、第２チャネルの第４サブキャリアで伝送される。
【０１３１】
従って、具体的なこの実装において、４個の高次変調信号は、２個のチャネルの４個のサブキャリアで伝送される。これにより、ダイバーシティ利得の効率を改善できる。
【０１３２】
上述の複数の２チャネルアグリゲーションの解決法は単に、本願の技術的解決法を当業者が理解することを助けることを意図するものであり、本願に対する限定を構成しないことを理解すべきである。高次変調信号および低次変調信号の上述の組み合わせ方式は、代替的に、別の適切な組み合わせ方式であり得る。これは限定されるものではない。
【０１３３】
従って、本願のこの実施形態における信号伝送方法において、複数の低次変調信号は、Ｎ個の高次変調信号に組み合わされ、Ｎ個の高次変調信号は、Ｎ個のサブキャリアで伝送され、ここで、Ｎ個のサブキャリアは、Ｍ個のチャネルの周波数領域リソースにおけるサブキャリアである。具体的には、Ｎ個の高次変調信号のうちのｋ個は、Ｍ個のチャネルにおける第ｍのチャネルのｋ個のサブキャリアで伝送される。これにより、ダイバーシティ利得の効率を改善できる。
【０１３４】
任意選択で、実施形態において、Ｍ＝３かつＮ＝９であるとき、Ｍ個のチャネルは第１チャネル、第２チャネルおよび第３チャネルであり、Ｎ個のサブキャリアは第１サブキャリア、第２サブキャリア、第３サブキャリア、第４サブキャリア、第５サブキャリア、第６サブキャリア、第７サブキャリア、第８サブキャリアおよび第９サブキャリアであり、Ｎ個の高次変調信号は第１高次変調信号ｘ１、第２高次変調信号ｘ２、第３高次変調信号ｘ３、第４高次変調信号ｘ４、第５高次変調信号ｘ５、第６高次変調信号ｘ６、第７高次変調信号ｘ７、第８高次変調信号ｘ８および第９高次変調信号ｘ９であり、Ｎ個の高次変調信号をＮ個のサブキャリアで伝送する段階は、第１高次変調信号ｘ１を第１チャネルの第１サブキャリアで伝送する段階と、第２高次変調信号ｘ２を第２チャネルの第２サブキャリアで伝送する段階と、第３高次変調信号ｘ３を第３チャネルの第３サブキャリアで伝送する段階と、第４高次変調信号ｘ４を第１チャネルの第４サブキャリアで伝送する段階と、第５高次変調信号ｘ５を第２チャネルの第５サブキャリアで伝送する段階と、第６高次変調信号ｘ６を第３チャネルの第６サブキャリアで伝送する段階と、第７高次変調信号ｘ７を第１チャネルの第７サブキャリアで伝送する段階と、第８高次変調信号ｘ８を第２チャネルの第８サブキャリアで伝送する段階と、第９高次変調信号ｘ９を第３チャネルの第９サブキャリアで伝送する段階とを含む。
【０１３５】
具体的には、３チャネルアグリゲーションの解決法が使用されるとき、９個の低次変調信号ｓ１、ｓ２、...，ｓ９を行列Ｑで乗算することによって、９個の高次変調信号ｘ１、ｘ２、...，ｘ４を出力できる。例えば、図１６は、本願の実施形態に係る３チャネルアグリゲーションの例の概略図である。図１６に示されるように、高次変調信号の具体的な伝送の解決法は、第１高次変調信号ｘ１を第１チャネルの第１サブキャリアで伝送し、第２高次変調信号ｘ２を第２チャネルの第２サブキャリアで伝送し、第３高次変調信号ｘ３を第３チャネルの第３サブキャリアで伝送し、第４高次変調信号ｘ４を第１チャネルの第４サブキャリアで伝送し、第５高次変調信号ｘ５を第２チャネルの第５サブキャリアで伝送し、第６高次変調信号ｘ６を第３チャネルの第６サブキャリアで伝送し、第７高次変調信号ｘ７を第１チャネルの第７サブキャリアで伝送し、第８高次変調信号ｘ８を第２チャネルの第８サブキャリアで伝送し、第９高次変調信号ｘ９を第３チャネルの第９サブキャリアで伝送することである。このように、高次変調信号は、複数のチャネルの複数のサブキャリアで伝送され、それにより、ダイバーシティ利得の効率を改善する。
【０１３６】
第１サブキャリア、第２サブキャリアおよび第３サブキャリアは同一のシーケンス番号を有し、第４サブキャリア、第５サブキャリアおよび第６サブキャリアは同一のシーケンス番号を有し、第７サブキャリア、第８サブキャリアおよび第９サブキャリアは同一のシーケンス番号を有する。第１サブキャリアと第４サブキャリアとの間隔、および、第４サブキャリアと第７サブキャリアとの間隔は、８０２．１２ａｙにおいてデータを伝送するために使用されるサブキャリアの数の３分の１である。
【０１３７】
例えば、９個の高次変調信号ｘ１、ｘ２、ｘ３、ｘ４、...、ｘ９は、９個の低次変調信号ｓ１、ｓ２、...、ｓ９を行列Ｑで乗算することによって取得され得て、具体的には以下のように表現される。
【数７５】
2019522938.tif 000082
【０１３８】
任意選択で、複数の低次変調信号は、ｓ１、ｓ２、ｓ３、ｓ４、ｓ５、ｓ６、ｓ７、ｓ８、ｓ９であり、チャネル行列Ｑは
【数７６】
2019522938.tif 000083
である。
【０１３９】
具体的な例に関連して、以下では、３チャネルアグリゲーションの場合の解決法を説明する。具体的な説明は以下のように提供される。
【０１４０】
３チャネルアグリゲーションが６４ＱＡＭに使用されるとき、高次変調信号および低次変調信号は、
【数７７】
2019522938.tif 000084
として表現され、ここで、チャネル行列Ｑは、
【数７８】
2019522938.tif 000085
であり、ｓ１、ｓ２、ｓ３、ｓ４、ｓ５、ｓ６、ｓ７、ｓ８、ｓ９は、６４ＱＡＭ変調信号であり、ｘ１、ｘ２、ｘ３、ｘ４、ｘ５、ｘ６、ｘ７、ｘ８、ｘ９は、ＱＰＳＫ変調信号であり、ｘ１、ｘ５、ｘ９は、異なる係数を使用することによって、６４ＱＡＭ信号ｓ１、ｓ２、ｓ３を組み合わせることによって取得される３個のＱＰＳＫ信号であり、ｘ２、ｘ６、ｘ７は、異なる係数を使用することによって、６４ＱＡＭ信号ｓ４、ｓ５、ｓ６を組み合わせることによって取得される３個のＱＰＳＫ信号であり、ｘ３、ｘ４、ｘ５は、異なる係数を使用することによって、６４ＱＡＭ信号ｓ７、ｓ８、ｓ９を組み合わせることによって取得される３個のＱＰＳＫ信号である。
【０１４１】
例えば、図１７は、本願の実施形態に係る３チャネルアグリゲーションの例の概略図である。図１７に示されるように、この例において、高次変調信号の具体的な伝送の解決法は、第１高次変調信号ｘ１を第１チャネルの第１サブキャリアで伝送し、第２高次変調信号ｘ２を第２チャネルの第２サブキャリアで伝送し、第３高次変調信号ｘ３を第３チャネルの第３サブキャリアで伝送し、第４高次変調信号ｘ４を第１チャネルの第４サブキャリアで伝送し、第５高次変調信号ｘ５を第２チャネルの第５サブキャリアで伝送し、第６高次変調信号ｘ６を第３チャネルの第６サブキャリアで伝送し、第７高次変調信号ｘ７を第１チャネルの第７サブキャリアで伝送し、第８高次変調信号ｘ８を第２チャネルの第８サブキャリアで伝送し、第９高次変調信号ｘ９を第３チャネルの第９サブキャリアで伝送することである。このように、高次変調信号は、複数のチャネルの複数のサブキャリアで伝送され、それにより、ダイバーシティ利得の効率を改善する。
【０１４２】
従って、具体的なこの実装において、９個の高次変調信号は、３個のチャネルの９個のサブキャリアで伝送される。これにより、ダイバーシティ利得の効率を改善できる。
【０１４３】
従って、本願のこの実施形態における信号伝送方法において、複数の低次変調信号は、Ｎ個の高次変調信号に組み合わされ、Ｎ個の高次変調信号は、Ｎ個のサブキャリアで伝送され、ここで、Ｎ個のサブキャリアは、Ｍ個のチャネルの周波数領域リソースにおけるサブキャリアである。具体的には、Ｎ個の高次変調信号のうちのｋ個は、Ｍ個のチャネルにおける第ｍのチャネルのｋ個のサブキャリアで伝送される。これにより、ダイバーシティ利得の効率を改善できる。
【０１４４】
上記では、「チャネルアグリゲーション」の複数の場合における本願のこの実施形態を説明する。以下では、「ワイドバンドチャネル」の解決法の具体的な実施形態を説明する。具体的な実施形態を説明する前に、図１８に関連して、「ワイドバンドチャネル」の解決法の実装原理を説明する。
【０１４５】
図１８は、ＯＦＤＭデータ構造の概略図である。図１８に示されるように、マルチキャリアＯＦＤＭデータ構造は、サイクリックプレフィックス（Ｃｙｃｌｉｃ  Ｐｒｅｆｉｘ、ＣＰ）およびＯＦＤＭシンボルを含む。ＯＦＤＭシンボルの周波数領域におけるサブキャリアが、データを伝送するために使用され、変調ＯＦＤＭシンボルが（シンボルは変調信号として理解され得る）、周波数領域データブロックを形成し、次に、周波数領域データブロックが、逆フーリエ変換を通して、対応する時間領域信号に変換される。
【０１４６】
図１８において、１個のチャネルの場合、周波数領域においてチャネルに５１２個のサブキャリアがあり、サブキャリア間隔はΔＦであり、１１ａｄにおいて５．１５６２５ＭＨｚであり、対応する帯域幅（Ｂａｎｄｗｉｄｔｈ、ＢＷ）はＢＷ＝２．６４ＧＨｚである。対応して、時間領域における信号伝送時間はΔＴであり、１１ａｄにおいて０．３８ｎｓであり、合計５１２個の信号が伝送され、対応する合計伝送時間Ｔは１９４ｎｓに等しい。
【０１４７】
図１８において、２個のチャネルの場合、周波数領域において２個のチャネルに１０２４個のサブキャリアがあり、サブキャリア間隔ΔＦは変化しないままであり、対応する帯域幅は２ＢＷ＝５．２８ＧＨｚである。対応して、時間領域における信号伝送時間はΔＴ、０．１９ｎｓであり、合計１０２４個の信号が伝送され、対応する合計伝送時間Ｔは変化しないままである。
【０１４８】
図１８において、３個のチャネルの場合、周波数領域における３個のチャネルに１５３６のサブキャリアがあり、サブキャリア間隔ΔＦは変化しないままであり、対応する帯域幅はＢＷ＝７．９２ＧＨｚである。対応して、時間領域における信号伝送時間はΔＴ、０．１２６７ｎｓであり、合計１５３６個の信号が伝送され、対応する合計伝送時間Ｔは変化しないままである。
【０１４９】
任意選択で、実施形態において、Ｎ個のサブキャリアでＮ個の高次変調信号を伝送する段階は、Ｎ個のサブバンドのＮ個のサブキャリアでＮ個の高次変調信号を伝送する段階であって、Ｎ個のサブキャリアにおける第ｎのサブキャリアは、Ｎ個のサブバンドにおける第ｎのサブバンドのサブキャリアであり、Ｎ個のサブバンドはＭ個のチャネルの周波数領域リソースにおけるサブバンドである、段階を含む。
【０１５０】
具体的には、複数の高次変調信号は、複数のサブバンドの複数のサブキャリアで伝送され得る。複数のサブキャリアは、複数のサブバンドのサブキャリアである。例えば、Ｎ個の高次変調信号は、Ｎ個のサブバンドのＮ個のサブキャリアで伝送され、Ｎ個のサブキャリアにおける第ｎのサブキャリアは、Ｎ個のサブバンドにおける第ｎのサブバンドのサブキャリアである。換言すれば、高次変調信号を伝送するために使用されるサブキャリアは、サブバンドのサブキャリアである。複数のサブバンドは、周波数領域リソースに基づいてワイドバンドチャネルを分割することによって取得される複数のサブバンドである。このように、高次変調信号は、複数のサブバンドの複数のサブキャリアで伝送され得る。
【０１５１】
従って、本願のこの実施形態における信号伝送方法において、複数の低次変調信号は、Ｎ個の高次変調信号に組み合わされ、Ｎ個の高次変調信号は、Ｎ個のサブキャリアで伝送され、ここで、Ｎ個のサブキャリアは、Ｍ個のチャネルの周波数領域リソースにおけるサブキャリアである。具体的には、Ｎ個の高次変調信号は、複数のサブバンドのＮ個のサブキャリアで伝送される。これにより、ダイバーシティ利得の効率を改善できる。
【０１５２】
任意選択で、実施形態において、Ｎ＝４であるとき、Ｎ個のサブバンドは、第１サブバンド、第２サブバンド、第３サブバンドおよび第４サブバンドであり、Ｎ個のサブキャリアは、第１サブキャリア、第２サブキャリア、第３サブキャリアおよび第４サブキャリアであり、Ｎ個の高次変調信号は、第１高次変調信号
【数７９】
2019522938.tif 000086
、第２高次変調信号
【数８０】
2019522938.tif 000087
、第３高次変調信号
【数８１】
2019522938.tif 000088
および第４高次変調信号
【数８２】
2019522938.tif 000089
であり、
ｘ１＊はｘ１の共役であり、ｘ２＊はｘ２の共役であり、Ｎ個のサブバンドのＮ個のサブキャリアでＮ個の高次変調信号を伝送する段階は、第１サブバンドの第１サブキャリアで第１高次変調信号
【数８３】
2019522938.tif 000090
を伝送する段階と、第２サブバンドの第２サブキャリアで第２高次変調信号
【数８４】
2019522938.tif 000091
を伝送する段階と、第３サブバンドの第３サブキャリアで第３高次変調信号
【数８５】
2019522938.tif 000092
を伝送する段階と、第４サブバンドの第４サブキャリアで第４高次変調信号
【数８６】
2019522938.tif 000093
を伝送する段階とを含む。
【０１５３】
具体的には、周波数領域におけるＯＦＤＭサブキャリアは、４個のサブバンドまたはサブブロックに分割され得る。次に、送信予定の低次変調信号ｓ１およびｓ２は、４個の高次変調信号に組み合わされ、４個の高次変調信号はそれぞれ、４個のサブバンドのサブキャリアで伝送される。図１９は、周波数領域におけるＯＦＤＭサブキャリアが４個のサブバンドに分割される場合についての伝送の解決法の概略図である。図１９に示されるように、具体的な伝送の解決法は、第１サブバンドの第１サブキャリアで第１高次変調信号
【数８７】
2019522938.tif 000094
を伝送し、第２サブバンドの第２サブキャリアで第２高次変調信号
【数８８】
2019522938.tif 000095
を伝送し、第３サブバンドの第３サブキャリアで第３高次変調信号
【数８９】
2019522938.tif 000096
を伝送し、第４サブバンドの第４サブキャリアで第４高次変調信号
【数９０】
2019522938.tif 000097
を伝送することである。
【数９１】
2019522938.tif 000098
は
【数９２】
2019522938.tif 000099
の共役であり、
【数９３】
2019522938.tif 000100
は
【数９４】
2019522938.tif 000101
の共役である。
【０１５４】
本願のこの実施形態において、４個の高次変調信号の各々は、４個のサブバンドのサブキャリアで伝送される。サブバンドの他のサブキャリアも高次変調信号を伝送するために使用され得ることを理解すべきである。これは限定されるものではない。例えば、この例において、１０００個の高次変調信号がある場合、１０００個の高次変調信号は、４個の高次変調信号ごとにグループとして扱うことによって、４個のサブバンドの複数のサブキャリアで同時に伝送され得る。当然、これは、単にこの解決法を当業者が理解することを助けることを意図するものであり、本願に対する限定を構成しない。
【０１５５】
本願のこの実施形態において、図１９における第１サブバンドは例として使用される。第１サブバンドの第１サブキャリアで伝送される信号は
【数９５】
2019522938.tif 000102
である。また、別の高次変調信号は、第１サブバンドの別のサブキャリアで伝送され得る。ここでは、第１サブバンドの第１サブキャリアは、説明のための例としてのみ使用される。
【０１５６】
第１サブバンドのサブキャリアは、図１９における
【数９６】
2019522938.tif 000103
のみを伝送することに限定されるものではないことに留意すべきである。
【数９７】
2019522938.tif 000104
が第１サブバンドの第１サブキャリアで伝送される例は、ここでは、概略的な説明のためのみに使用される。具体的な適用において、他の高次変調信号は、第１サブキャリアを除く、第１サブバンドの他のサブキャリアで同時に伝送され得る。これは限定されるものではない。図１９、および、以下に見られる場合における他のサブバンドは、第１サブバンドと同様である。以下では詳細を説明しない。
【０１５７】
従って、具体的なこの実装において、４個の高次変調信号は、４個のサブバンドの４個のサブキャリアで伝送される。これにより、ダイバーシティ利得の効率を改善できる。
【０１５８】
任意選択で、チャネル行列Ｑは、
【数９８】
2019522938.tif 000105
であるか、または、チャネル行列Ｑは、
【数９９】
2019522938.tif 000106
である。
【０１５９】
具体的には、低次変調信号ｓ１、ｓ２がＢＰＳＫ変調信号であり、かつ、高次変調信号ｘ１、ｘ２がＱＰＳＫ信号
【数１００】
2019522938.tif 000107
であるとき、
【数１０１】
2019522938.tif 000108
である対応するチャネル行列Ｑは、表１における組み合わせ係数に関連して取得され得る。または、低次変調信号ｓ１、ｓ２がＱＰＳＫ変調信号であり、かつ、高次変調信号ｘ１、ｘ２が１６ＱＡＭ信号であるとき、
【数１０２】
2019522938.tif 000109
であり、
【数１０３】
2019522938.tif 000110
である対応するチャネル行列Ｑは、表２における組み合わせ係数に関連して取得され得る。
【０１６０】
従って、本願のこの実施形態における信号伝送方法において、複数の低次変調信号は、Ｎ個の高次変調信号に組み合わされ、Ｎ個の高次変調信号は、Ｎ個のサブキャリアで伝送され、ここで、Ｎ個のサブキャリアは、Ｍ個のチャネルの周波数領域リソースにおけるサブキャリアである。具体的には、Ｎ個の変調信号は、複数のサブバンドのＮ個のサブキャリアで伝送される。これにより、ダイバーシティ利得の効率を改善できる。
【０１６１】
任意選択で、実施形態において、Ｎ＝３であるとき、Ｎ個のサブバンドは、第１サブバンド、第２サブバンドおよび第３サブバンドであり、Ｎ個のサブキャリアは、第１サブキャリア、第２サブキャリアおよび第３サブキャリアであり、Ｎ個の高次変調信号は、第１高次変調信号
【数１０４】
2019522938.tif 000111
、第２高次変調信号
【数１０５】
2019522938.tif 000112
、第３高次変調信号
【数１０６】
2019522938.tif 000113
であり、Ｎ個のサブバンドのＮ個のサブキャリアでＮ個の高次変調信号を伝送する段階は、第１サブバンドの第１サブキャリアで第１高次変調信号
【数１０７】
2019522938.tif 000114
を伝送する段階と、第２サブバンドの第２サブキャリアで第２高次変調信号
【数１０８】
2019522938.tif 000115
を伝送する段階と、第３サブバンドの第３サブキャリアで第３高次変調信号
【数１０９】
2019522938.tif 000116
を伝送する段階とを含む。
【０１６２】
具体的には、周波数領域におけるＯＦＤＭサブキャリアは、３個のサブバンドまたはサブブロックに分割され得る。次に、送信予定の低次変調信号ｓ１、ｓ２、ｓ３はそれぞれ、３個のサブバンドのサブキャリアで伝送される。図２０は、ＯＦＤＭが３個のサブバンドに分割される場合についての伝送の解決法の概略図である。図２０に示されるように、具体的な伝送の解決法は、第１サブバンドの第１サブキャリアで第１高次変調信号
【数１１０】
2019522938.tif 000117
を伝送し、第２サブバンドの第２サブキャリアで第２高次変調信号
【数１１１】
2019522938.tif 000118
を伝送し、第３サブバンドの第３サブキャリアで第３高次変調信号
【数１１２】
2019522938.tif 000119
を伝送することである。
【０１６３】
従って、本願のこの実施形態における信号伝送方法において、複数の低次変調信号は、Ｎ個の高次変調信号に組み合わされ、Ｎ個の高次変調信号は、Ｎ個のサブキャリアで伝送され、ここで、Ｎ個のサブキャリアは、Ｍ個のチャネルの周波数領域リソースにおけるサブキャリアである。具体的には、Ｎ個の変調信号は、複数のサブバンドのＮ個のサブキャリアで伝送される。これにより、ダイバーシティ利得の効率を改善できる。
【０１６４】
任意選択で、複数の低次変調信号は、ｓ１、ｓ２およびｓ３であり、チャネル行列Ｑは、
【数１１３】
2019522938.tif 000120
である。
【０１６５】
具体的には、低次変調信号ｓ１、ｓ２、ｓ３がＱＰＳＫ変調信号であり、かつ、高次変調信号ｘ１、ｘ２、ｘ３が６４ＱＡＭ変調信号であるとき、
【数１１４】
2019522938.tif 000121
であり、
【数１１５】
2019522938.tif 000122
である対応するチャネル行列Ｑは、表３における組み合わせ係数から、任意の組の組み合わせ係数を選択することによって取得され得る。
【０１６６】
従って、具体的なこの実装において、３次高次変調信号は、３個のサブバンドの３個のサブキャリアで伝送される。これにより、ダイバーシティ利得の効率を改善できる。
【０１６７】
α、β、γの値は、表３における任意の組の係数であり得ることを理解すべきである。これは限定されるものではない。
【０１６８】
従って、本願のこの実施形態における信号伝送方法において、複数の低次変調信号は、Ｎ個の高次変調信号に組み合わされ、Ｎ個の高次変調信号は、Ｎ個のサブキャリアで伝送され、ここで、Ｎ個のサブキャリアは、Ｍ個のチャネルの周波数領域リソースにおけるサブキャリアである。具体的には、Ｎ個の変調信号は、複数のサブバンドのＮ個のサブキャリアで伝送される。これにより、ダイバーシティ利得の効率を改善できる。
【０１６９】
上記では、本願の実施形態における信号伝送方法を詳細に説明した。以下では、本願の実施形態における信号伝送装置を説明する。
【０１７０】
図２１は、本願の実施形態に係るデータ記憶装置９００の概略ブロック図である。図２１に示されるように、装置９００は、複数の低次変調信号を組み合わせてＮ個の高次変調信号にするよう構成される決定モジュール９１０と、決定モジュール９１０によって決定されたＮ個の高次変調信号をＮ個のサブキャリアで伝送するよう構成される伝送モジュール９２０であって、Ｎ個のサブキャリアは、Ｍ個のチャネルの周波数領域リソースにおけるサブキャリアであり、Ｎ個の高次変調信号における第ｎの高次変調信号は、Ｎ個のサブキャリアにおける第ｎのサブキャリアで伝送され、Ｎは２以上の整数であり、Ｍは２以上の整数であり、ｎ＝１，２，...，Ｎである、伝送モジュール９２０とを備える。
【０１７１】
本願のこの実施形態における信号伝送装置は、複数の低次変調信号を組み合わせてＮ個の高次変調信号にし、Ｎ個のサブキャリアでＮ個の高次変調信号を伝送し、Ｎ個のサブキャリアはＭ個のチャネルの周波数領域リソースにおけるサブキャリアである。これにより、ダイバーシティ利得の効率を改善できる。
【０１７２】
任意選択で、決定モジュール９１０は具体的には、複数の低次変調信号およびチャネル行列Ｑに基づいて、Ｎ個の高次変調信号を決定するよう構成される。
【０１７３】
任意選択で、実施形態において、伝送モジュール９２０は、具体的には、Ｍ個のチャネルにおける第ｍのチャネルのｋ個のサブキャリアでＮ個の高次変調信号のうちのｋ個を伝送するよう構成され、Ｎ＝Ｍ×ｋであり、ｋは２より大きい整数であり、ｍ＝１，２，...，Ｍである。
【０１７４】
任意選択で、実施形態において、Ｍ＝２かつＮ＝４であるとき、Ｍ個のチャネルは、第１チャネルおよび第２チャネルであり、Ｎ個のサブキャリアは、第１サブキャリア、第２サブキャリア、第３サブキャリアおよび第４サブキャリアであり、Ｎ個の高次変調信号は、第１高次変調信号ｘ１、第２高次変調信号ｘ２、第３高次変調信号ｘ３および第４高次変調信号ｘ４であり、伝送モジュールは具体的には、第１チャネルの第１サブキャリアで第１高次変調信号ｘ１を伝送すること、第２チャネルの第２サブキャリアで第２高次変調信号ｘ２を伝送すること、第１チャネルの第３サブキャリアで第３高次変調信号ｘ３を伝送すること、および、第２チャネルの第４サブキャリアで第４高次変調信号ｘ４を伝送することを行うよう構成される。
【０１７５】
任意選択で、複数の低次変調信号は、ｓ１、ｓ２、ｓ３、ｓ４であり、チャネル行列Ｑは、
【数１１６】
2019522938.tif 000123
のいずれか１つである。.
【０１７６】
任意選択で、実施形態において、Ｍ＝３かつＮ＝９であるとき、Ｍ個のチャネルは、第１チャネル、第２チャネルおよび第３チャネルであり、Ｎ個のサブキャリアは、第１サブキャリア、第２サブキャリア、第３サブキャリア、第４サブキャリア、第５サブキャリア、第６サブキャリア、第７サブキャリア、第８サブキャリアおよび第９サブキャリアであり、Ｎ個の高次変調信号は、第１高次変調信号ｘ１、第２高次変調信号ｘ２、第３高次変調信号ｘ３、第４高次変調信号ｘ４、第５高次変調信号ｘ５、第６高次変調信号ｘ６、第７高次変調信号ｘ７、第８高次変調信号ｘ８および第９高次変調信号ｘ９であり、伝送モジュール９２０は具体的には、第１チャネルの第１サブキャリアで第１高次変調信号ｘ１を伝送すること、第２チャネルの第２サブキャリアで第２高次変調信号ｘ２を伝送すること、第３チャネルの第３サブキャリアで第３高次変調信号ｘ３を伝送すること、第１チャネルの第４サブキャリアで第４高次変調信号ｘ４を伝送すること、第２チャネルの第５サブキャリアで第５高次変調信号ｘ５を伝送すること、第３チャネルの第６サブキャリアで第６高次変調信号ｘ６を伝送すること、第１チャネルの第７サブキャリアで第７高次変調信号ｘ７を伝送すること、第２チャネルの第８サブキャリアで第８高次変調信号ｘ８を伝送すること、および、第３チャネルの第９サブキャリアで第９高次変調信号ｘ９を伝送することを行うよう構成される。
【０１７７】
任意選択で、複数の低次変調信号は、ｓ１、ｓ２、ｓ３、ｓ４、ｓ５、ｓ６、ｓ７、ｓ８、ｓ９であり、チャネル行列Ｑは
【数１１７】
2019522938.tif 000124
である。
【０１７８】
従って、本願のこの実施形態における信号伝送装置は、複数の低次変調信号を組み合わせてＮ個の高次変調信号にし、Ｎ個のサブキャリアでＮ個の高次変調信号を伝送し、Ｎ個のサブキャリアはＭ個のチャネルの周波数領域リソースにおけるサブキャリアである。具体的には、Ｎ個の変調信号は、Ｍ個のチャネルのサブキャリアで伝送される。これにより、ダイバーシティ利得の効率を改善できる。
【０１７９】
任意選択で、実施形態において、伝送モジュール９２０は具体的には、Ｎ個のサブバンドのＮ個のサブキャリアでＮ個の高次変調信号を伝送するよう構成され、Ｎ個のサブキャリアにおける第ｎのサブキャリアは、Ｎ個のサブバンドにおける第ｎのサブバンドのサブキャリアであり、Ｎ個のサブバンドは、Ｍ個のチャネルの周波数領域リソースにおけるサブバンドである。
【０１８０】
任意選択で、実施形態において、Ｎ＝４であるとき、Ｎ個のサブバンドは、第１サブバンド、第２サブバンド、第３サブバンドおよび第４サブバンドであり、Ｎ個のサブキャリアは、第１サブキャリア、第２サブキャリア、第３サブキャリアおよび第４サブキャリアであり、Ｎ個の高次変調信号は、第１高次変調信号
【数１１８】
2019522938.tif 000125
、第２高次変調信号
【数１１９】
2019522938.tif 000126
、第３高次変調信号
【数１２０】
2019522938.tif 000127
および第４高次変調信号
【数１２１】
2019522938.tif 000128
であり、ｘ１＊はｘ１の共役であり、ｘ２＊はｘ２の共役であり、伝送モジュールは具体的には、第１サブバンドの第１サブキャリアで第１高次変調信号
【数１２２】
2019522938.tif 000129
を伝送すること、第２サブバンドの第２サブキャリアで第２高次変調信号
【数１２３】
2019522938.tif 000130
を伝送すること、第３サブバンドの第３サブキャリアで第３高次変調信号
【数１２４】
2019522938.tif 000131
を伝送すること、および、第４サブバンドの第４サブキャリアで第４高次変調信号
【数１２５】
2019522938.tif 000132
を伝送することを行うよう構成される。
【０１８１】
任意選択で、複数の低次変調信号はｓ１およびｓ２であり、チャネル行列Ｑは、
【数１２６】
2019522938.tif 000133
であるか、または、チャネル行列Ｑは、
【数１２７】
2019522938.tif 000134
である。
【０１８２】
任意選択で、実施形態において、Ｎ＝３であるとき、Ｎ個のサブバンドは、第１サブバンド、第２サブバンドおよび第３サブバンドであり、Ｎ個のサブキャリアは、第１サブキャリア、第２サブキャリアおよび第３サブキャリアであり、Ｎ個の高次変調信号は、第１高次変調信号
【数１２８】
2019522938.tif 000135
、第２高次変調信号
【数１２９】
2019522938.tif 000136
および第３高次変調信号
【数１３０】
2019522938.tif 000137
であり、伝送モジュール９２０は、具体的には、第１サブバンドの第１サブキャリアで第１高次変調信号
【数１３１】
2019522938.tif 000138
を伝送すること、第２サブバンドの第２サブキャリアで第２高次変調信号
【数１３２】
2019522938.tif 000139
を伝送すること、および、第３サブバンドの第３サブキャリアで第３高次変調信号
【数１３３】
2019522938.tif 000140
を伝送することを行うよう構成される。
【０１８３】
任意選択で、複数の低次変調信号は、ｓ１、ｓ２およびｓ３であり、チャネル行列Ｑは、
【数１３４】
2019522938.tif 000141
である。
【０１８４】
従って、本願のこの実施形態における信号伝送装置は、複数の低次変調信号を組み合わせてＮ個の高次変調信号にし、Ｎ個のサブキャリアでＮ個の高次変調信号を伝送し、Ｎ個のサブキャリアはＭ個のチャネルの周波数領域リソースにおけるサブキャリアである。具体的には、Ｎ個の変調信号は、複数のサブバンドのサブキャリアで伝送される。これにより、ダイバーシティ利得の効率を改善できる。
【０１８５】
本願のこの実施形態におけるデータ記憶装置９００は、本願の実施形態における方法の実行主体に対応し得る。加えて、データ記憶装置９００におけるモジュールの上述および他の操作および／または機能は、上述の方法の対応する処理を実装することを意図し、簡潔化のためにここでは説明しない。
【０１８６】
本願のこの実施形態における信号伝送装置は、複数の低次変調信号を組み合わせてＮ個の高次変調信号にし、Ｎ個のサブキャリアでＮ個の高次変調信号を伝送し、Ｎ個のサブキャリアはＭ個のチャネルの周波数領域リソースにおけるサブキャリアである。これにより、ダイバーシティ利得の効率を改善できる。
【０１８７】
図２２は、本願の別の実施形態において提供される信号伝送装置の構造を示す。装置は、少なくとも１個のプロセッサ１００２（例えばＣＰＵ）、少なくとも１個のネットワークインタフェース１００５、または、別の通信インタフェース、メモリ１００６、ならびに、これらの装置の間の接続および通信を実装するよう構成される少なくとも１個の通信バス１００３を備える。プロセッサ１００２は、メモリ１００６に記憶される実行可能モジュール、例えばコンピュータプログラムを実行するよう構成される。メモリ１００６は、高速ランダムアクセスメモリ（Ｒａｎｄｏｍ  Ａｃｃｅｓｓ  Ｍｅｍｏｒｙ，  ＲＡＭ）を含み得て、さらに、不揮発性メモリ（ｎｏｎ−ｖｏｌａｔｉｌｅ  ｍｅｍｏｒｙ）、例えば、少なくとも１個のディスクメモリを含み得る。少なくとも１個の他のネットワーク要素への通信接続は、少なくとも１個のネットワークインタフェース１００５（有線または無線であり得る）を使用することによって実装される。
【０１８８】
いくつかの実装において、メモリ１００６はプログラム１００６１を記憶する。プログラム１００６１はプロセッサ１００２によって実行され得る。
【０１８９】
本明細書における「および／または」という用語は、関連対象を説明するための関連関係だけを説明するものであり、３つの関係が存在し得ることを表すことを理解すべきである。例えば、Ａおよび／またはＢは、次の３つのケース、すなわち、Ａのみが存在すること、ＡおよびＢの両方が存在すること、およびＢのみが存在することを表してよい。加えて、本明細書における記号「／」は概して、関連対象物間の「または」の関係を示す。
【０１９０】
先述の処理のシーケンス番号は、様々な本願の実施形態における実行順序を意味するものでないことが理解されるべきである。処理の実行順序は、処理の機能および内部論理に基づいて決定されるべきであり、本願の実施形態の実装処理に対する何らかの限定と見なされるべきではない。
【０１９１】
当業者であれば、本明細書に開示される実施形態において説明される例を参照することにより、ユニットおよびアルゴリズムのステップは、電子的ハードウェア、または、コンピュータソフトウェアおよび電子的ハードウェアの組み合わせによって実装され得ることを認識し得る。機能がハードウェアによって実行されるか、または、ソフトウェアによって実行されるかは、技術的解決法の特定の適用および設計の制約に依存する。当業者であれば、それぞれの特定の用途に対して説明された機能を実行すべく異なる方法を用いてよいが、その実装が本願の範囲を超えるものと考えられるべきではない。
【０１９２】
当業者であれば、説明の便宜および簡潔性のために、上述のシステム、装置およびユニットの詳細な動作処理については、上述の方法の実施形態における対応する処理を参照してよいことを明確に理解し得て、ここでは詳細を再度説明しない。
【０１９３】
本願において提供されるいくつかの実施形態において、開示されるシステム、装置、および方法は、他の方式で実装されてよいことを理解すべきである。例えば、説明された装置の実施形態は例に過ぎない。例えば、ユニットの分割は、論理的機能の分割に過ぎず、実際の実装においては他の分割であってよい。例えば、複数のユニットまたはコンポーネントは、別のシステムと組み合わされまたは統合されてよい。または、いくつかの特徴は、無視されてよく、または、実行されなくてよい。加えて、示された、または、説明された、相互連結または直接の連結もしくは通信接続は、いくつかのインタフェースを使用することによって実装され得る。装置またはユニット間の間接的な連結または通信接続は、電気的、機械的、または、他の形で実装され得る。
【０１９４】
別個の部品として説明されるユニットは、物理的に別個であっても、そうでなくてもよく、ユニットとして示される部品は、物理的ユニットであっても、そうでなくてもよく、１箇所に位置しても、または、複数のネットワークユニット上に分散していてもよい。ユニットのいくつかまたはすべては、実施形態の解決法の目的を達成するための実際の要件に応じて選択され得る。
【０１９５】
加えて、本願の実施形態における機能ユニットは、１つの処理ユニットに統合されてよい、又は、機能ユニットのそれぞれは、物理的に単独で存在してよい、又は、２若しくはそれより多いユニットが１つのユニットに統合されてよい。
【０１９６】
複数の機能がソフトウェア機能ユニットの形態で実装され、独立したプロダクトとして販売される、または用いられるとき、それら機能はコンピュータ可読記憶媒体に格納され得る。そのような理解に基づいて、基本的に本願の技術的解決法又は従来技術に対して貢献する部分又は技術的解決手法のいくつかが、ソフトウェアプロダクトの形式で実装されてよい。コンピュータソフトウェアのプロダクトは、記憶媒体に記憶され、本願の実施形態において説明される方法の段階のすべてまたはいくつかを実行するようコンピュータデバイス（パーソナルコンピュータ、サーバ、ネットワークデバイス、または、同様のなどであり得る）に指示するためのいくつかの命令を含む。記憶媒体は、ＵＳＢフラッシュドライブ、リムーバブルハードディスク、リードオンリメモリ（Ｒｅａｄ−Ｏｎｌｙ  Ｍｅｍｏｒｙ，ＲＯＭ）、ランダムアクセスメモリ（ＲＡＭ）、磁気ディスク、または、光ディスクなど、プログラムコードを記憶できる任意の媒体を含む。
【０１９７】
前述の説明は、本願の特定の実装に過ぎず、本願の保護範囲を制限することを意図したものではない。本願において開示された技術的範囲内で、当業者により容易に考え出される任意の変形又は置換が本願の保護範囲に含まれるものとする。従って、本願の保護範囲は、特許請求の範囲の保護範囲に従うものとする。
【図１】
2019522938.tif 000179
【図２】
2019522938.tif 000180
【図３】
2019522938.tif 000181
【図４】
2019522938.tif 000182
【図５】
2019522938.tif 000183
【図６】
2019522938.tif 000184
【図７】
2019522938.tif 000185
【図８】
2019522938.tif 000186
【図９】
2019522938.tif 000187
【図１０】
2019522938.tif 000188
【図１１】
2019522938.tif 000189
【図１２】
2019522938.tif 000190
【図１３】
2019522938.tif 000191
【図１４】
2019522938.tif 000192
【図１５】
2019522938.tif 000193
【図１６】
2019522938.tif 000194
【図１７】
2019522938.tif 000195
【図１８】
2019522938.tif 000196
【図１９】
2019522938.tif 000197
【図２０】
2019522938.tif 000198
【図２１】
2019522938.tif 000199
【図２２】
2019522938.tif 000200
【手続補正書】
【提出日】平成31年2月20日(2019.2.20)
【手続補正１】
【補正対象書類名】特許請求の範囲
【補正対象項目名】全文
【補正方法】変更
【補正の内容】
【特許請求の範囲】
【請求項１】
信号伝送方法であって、Ｎ個のサブキャリアでＮ個の変調信号を伝送する段階であって、前記Ｎ個のサブキャリアは、Ｍ個のチャネルの周波数領域リソースにおけるサブキャリアであり、Ｎは２以上の整数であり、Ｍは２以上の整数であり、異なるチャネルで伝送される少なくとも２個の変調信号は共役である、段階を備える方法。
【請求項２】
前記Ｎ個のサブキャリアが、前記Ｍ個のチャネルの周波数領域リソースにおけるサブキャリアであることは、各チャネルがＮ／Ｍ個のサブキャリアを有することである、請求項１に記載の方法。
【請求項３】
Ｍ＝２かつＮ＝４であるとき、前記Ｍ個のチャネルは第１チャネルおよび第２チャネルであり、前記Ｎ個のサブキャリアは第１サブキャリア、第２サブキャリア、第３サブキャリアおよび第４サブキャリアであり、前記Ｎ個の変調信号は第１変調信号ｘ１、第２変調信号ｘ２、第３変調信号ｘ３および第４変調信号ｘ４であり、
Ｎ個のサブキャリアで前記Ｎ個の変調信号を伝送する前記段階は、
前記第１変調信号ｘ１を前記第１チャネルの前記第１サブキャリアで伝送する段階と、
前記第２変調信号ｘ２を前記第２チャネルの前記第２サブキャリアで伝送する段階と、
前記第３変調信号ｘ３を前記第１チャネルの前記第３サブキャリアで伝送する段階と、
前記第４変調信号ｘ４を前記第２チャネルの前記第４サブキャリアで伝送する段階と
を含む、請求項１または２に記載の方法。
【請求項４】
Ｍ＝２、かつ、Ｎ＝４であるとき、前記Ｍ個のチャネルは第１チャネルおよび第２チャネルであり、前記Ｎ個のサブキャリアは、前記第１チャネルの第１サブキャリア、前記第１チャネルの第２サブキャリア、前記第２チャネルの第１サブキャリア、および、前記第２チャネルの第２サブキャリアであり、前記Ｎ個の変調信号は、第１変調信号ｘ１、第２変調信号ｘ２、第３変調信号ｘ３、および、第４変調信号ｘ４であり、
Ｎ個のサブキャリアで前記Ｎ個の変調信号を伝送する前記段階は、
前記第１変調信号ｘ１を前記第１チャネルの前記第１サブキャリアで伝送する段階と、
前記第２変調信号ｘ２を前記第２チャネルの前記第２サブキャリアで伝送する段階と、
前記第３変調信号ｘ３を前記第１チャネルの前記第２サブキャリアで伝送する段階と、
前記第４変調信号ｘ４を前記第２チャネルの前記第１サブキャリアで伝送する段階と、
を含む、請求項１または２に記載の方法。
【請求項５】
ｘ４はｘ１の共役である、請求項３または４に記載の方法。
【請求項６】
ｘ３はｘ２の共役である、請求項３から５のいずれか一項に記載の方法。
【請求項７】
前記Ｎ個の変調信号は、チャネル行列Ｑに基づく、請求項１から６のいずれか一項に記載の方法。
【請求項８】
前記チャネル行列Ｑは
【数１７２】
2019522938.tif 000201
である、請求項７に記載の方法。
【請求項９】
信号伝送装置であって、
Ｎ個のサブキャリアでＮ個の変調信号を伝送するよう構成される伝送モジュールであって、前記Ｎ個のサブキャリアはＭ個のチャネルの周波数領域リソースにおけるサブキャリアであり、Ｎは２以上の整数であり、Ｍは２以上の整数であり、異なるチャネルで伝送される少なくとも２個の変調信号は共役である、伝送モジュール
を備える装置。
【請求項１０】
前記Ｎ個のサブキャリアが、Ｍ個のチャネルの周波数領域リソースにおけるサブキャリアであることは、各チャネルがＮ／Ｍ個のサブキャリアを有することである、請求項９に記載の装置。
【請求項１１】
Ｍ＝２かつＮ＝４であるとき、前記Ｍ個のチャネルは、第１チャネルおよび第２チャネルであり、前記Ｎ個のサブキャリアは、第１サブキャリア、第２サブキャリア、第３サブキャリアおよび第４サブキャリアであり、前記Ｎ個の変調信号は、第１変調信号ｘ１、第２変調信号ｘ２、第３変調信号ｘ３および第４変調信号ｘ４であり、
前記伝送モジュールは具体的には、
前記第１チャネルの前記第１サブキャリアで前記第１変調信号ｘ１を伝送すること、
前記第２チャネルの前記第２サブキャリアで前記第２変調信号ｘ２を伝送すること、
前記第１チャネルの前記第３サブキャリアで前記第３変調信号ｘ３を伝送すること、および、
前記第２チャネルの前記第４サブキャリアで前記第４変調信号ｘ４を伝送すること
を行うよう構成される、
請求項９または１０に記載の装置。
【請求項１２】
前記Ｍ個のチャネルは第１チャネルおよび第２チャネルであり、前記Ｎ個のサブキャリアは、前記第１チャネルの第１サブキャリア、前記第１チャネルの第２サブキャリア、前記第２チャネルの第１サブキャリア、および、前記第２チャネルの第２サブキャリアであり、前記Ｎ個の変調信号は、第１変調信号ｘ１、第２変調信号ｘ２、第３変調信号ｘ３、および、第４変調信号ｘ４であり、
前記伝送モジュールは、具体的には、
前記第１変調信号ｘ１を前記第１チャネルの前記第１サブキャリアで伝送すること、
前記第２変調信号ｘ２を前記第２チャネルの前記第２サブキャリアで伝送すること、
前記第３変調信号ｘ３を前記第１チャネルの前記第２サブキャリアで伝送すること、および、
前記第４変調信号ｘ４を前記第２チャネルの前記第１サブキャリアで伝送すること
を行うよう構成される、請求項９または１０に記載の装置。
【請求項１３】
ｘ４はｘ１の共役である、請求項１１または１２に記載の装置。
【請求項１４】
ｘ３はｘ２の共役である、請求項１１から１３のいずれか一項に記載の装置。
【請求項１５】
前記Ｎ個の変調信号は、チャネル行列Ｑに基づき、前記チャネル行列Ｑは
【数１７３】
2019522938.tif 000202
である、請求項９から１４のいずれか一項に記載の装置。
【手続補正２】
【補正対象書類名】明細書
【補正対象項目名】全文
【補正方法】変更
【補正の内容】
【発明の詳細な説明】
【技術分野】
【０００１】
本願は、通信分野に関連し、より具体的には、信号伝送方法及び信号伝送装置に関連する。
【背景技術】
【０００２】
直交周波数分割多重方式（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）技術に基づく無線ローカルエリアネットワーク（ＷＬＡＮ）規格には、８０２．１１ａ、８０２．１１ｎ、８０２．１１ａｃおよび８０２．１１ａｄなど、徐々に進化する規格が含まれる。現在、無線高精度音声映像信号伝送規格８０２．１１ａｄは主に、無線高精度音声映像信号の家庭内伝送を実装するために、および、家庭用マルチメディア用途のための、より高精細度の映像ソリューションを提供するために使用されている。８０２．１１ａｄにおいては、混雑している２．４ＧＨｚおよび５ＧＨｚの周波数帯域が放棄され、６０ＧＨｚの高周波数キャリアスペクトルが使用される。
【０００３】
現在、６０ＧＨｚの周波数帯域は、４個のチャネルに分割され得て、各チャネルの帯域幅は、２．１６ＧＨｚである。しかしながら、８０２．１１ａｄにおいては、一度に１個のチャネルのみを使用して信号を伝送できる。信号を伝送するために１個のチャネルのみが使用される場合、より多くのダイバーシティを柔軟に実装することができず、ダイバーシティ利得効果は顕著でなくなる。
【発明の概要】
【０００４】
本願の実施形態は、信号伝送方法及び信号伝送装置を提供し、それにより、ダイバーシティ利得の効率を改善する。
【０００５】
第１の態様によれば、複数の低次変調信号を組み合わせてＮ個の高次変調信号にする段階と、Ｎ個のサブキャリアでＮ個の高次変調信号を伝送する段階であって、Ｎ個のサブキャリアは、Ｍ個のチャネルの周波数領域リソースにおけるサブキャリアであり、Ｎ個の高次変調信号における第ｎの高次変調信号は、Ｎ個のサブキャリアにおける第ｎのサブキャリアで伝送され、Ｎは２以上の整数であり、Ｍは２以上の整数であり、ｎ＝１，２，...，Ｎである、段階とを備える信号伝送方法が提供される。
【０００６】
本願のこの実施形態において、複数の低次変調信号は、送信予定の信号である。複数の低次変調信号は、Ｎ個の高次変調信号に組み合わされ、Ｎ個の高次変調信号は、Ｎ個のサブキャリアで伝送され、ここで、Ｎ個のサブキャリアは、Ｍ個のチャネルの周波数領域リソースにおけるサブキャリアである。これにより、ダイバーシティ利得の効率を改善できる。
【０００７】
任意選択で、複数の低次変調信号を組み合わせてＮ個の高次変調信号にすることは、複数の低次変調信号およびチャネル行列Ｑに基づいて、Ｎ個の高次変調信号を決定することを含む。
【０００８】
本明細書において、高次変調信号は、複数の低次変調信号の組み合わせに分割され得る。例えば、高次変調信号は、チャネル行列Ｑと、複数の低次変調信号を含む列ベクトルとを乗算することによって取得され得る。
【０００９】
第１の態様に関連して、第１の可能な実装において、Ｎ個のサブキャリアでＮ個の高次変調信号を伝送することは、Ｍ個のチャネルにおける第ｍのチャネルのｋ個のサブキャリアで、Ｎ個の高次変調信号のうちのｋ個を伝送することを含み、ここで、Ｎ＝Ｍ×ｋであり、ｋは２より大きい整数であり、ｍ＝１，２，...，Ｍである。
【００１０】
ここで、複数の高次変調信号は、複数のチャネルの複数のサブキャリアで伝送され得る。具体的には、複数の高次変調信号におけるｋ個の高次変調信号は、Ｍ個のチャネルにおける第ｍのチャネルのｋ個のサブキャリアで伝送され、それにより、効率的にダイバーシティ利得を実装する。Ｎ＝Ｍ×ｋであり、ｋは２より大きい整数であり、ｍ＝１，２，...，Ｍである。
【００１１】
第１の態様、または、第１の態様の第１の可能な実装に関連して、第２の可能な実装において、Ｍ＝２かつＮ＝４であるとき、Ｍ個のチャネルは第１チャネルおよび第２チャネルであり、Ｎ個のサブキャリアは第１サブキャリア、第２サブキャリア、第３サブキャリアおよび第４サブキャリアであり、Ｎ個の高次変調信号は第１高次変調信号ｘ１、第２高次変調信号ｘ２、第３高次変調信号ｘ３および第４高次変調信号ｘ４であり、Ｎ個の高次変調信号をＮ個のサブキャリアで伝送する段階は、第１チャネルの第１サブキャリアで第１高次変調信号ｘ１を伝送する段階と、第２高次変調信号ｘ２を第２チャネルの第２サブキャリアで伝送する段階と、第３高次変調信号ｘ３を第１チャネルの第３サブキャリアで伝送する段階と、第４高次変調信号ｘ４を第２チャネルの第４サブキャリアで伝送する段階とを含む。
【００１２】
任意選択で、複数の低次変調信号は、ｓ１、ｓ２、ｓ３、ｓ４であり、チャネル行列Ｑは、
【数１】
2019522938.tif 000203
のいずれか１つである。
【００１３】
第１の態様、または、第１の態様の第１の可能な実装に関連して、第３の可能な実装において、Ｍ＝３かつＮ＝９であるとき、Ｍ個のチャネルは第１チャネル、第２チャネルおよび第３チャネルであり、Ｎ個のサブキャリアは第１サブキャリア、第２サブキャリア、第３サブキャリア、第４サブキャリア、第５サブキャリア、第６サブキャリア、第７サブキャリア、第８サブキャリアおよび第９サブキャリアであり、Ｎ個の高次変調信号は第１高次変調信号ｘ１、第２高次変調信号ｘ２、第３高次変調信号ｘ３、第４高次変調信号ｘ４、第５高次変調信号ｘ５、第６高次変調信号ｘ６、第７高次変調信号ｘ７、第８高次変調信号ｘ８および第９高次変調信号ｘ９であり、Ｎ個の高次変調信号をＮ個のサブキャリアで伝送する段階は、第１高次変調信号ｘ１を第１チャネルの第１サブキャリアで伝送する段階と、第２高次変調信号ｘ２を第２チャネルの第２サブキャリアで伝送する段階と、第３高次変調信号ｘ３を第３チャネルの第３サブキャリアで伝送する段階と、第４高次変調信号ｘ４を第１チャネルの第４サブキャリアで伝送する段階と、第５高次変調信号ｘ５を第２チャネルの第５サブキャリアで伝送する段階と、第６高次変調信号ｘ６を第３チャネルの第６サブキャリアで伝送する段階と、第７高次変調信号ｘ７を第１チャネルの第７サブキャリアで伝送する段階と、第８高次変調信号ｘ８を第２チャネルの第８サブキャリアで伝送する段階と、第９高次変調信号ｘ９を第３チャネルの第９サブキャリアで伝送する段階とを含む。
【００１４】
任意選択で、複数の低次変調信号は、ｓ１、ｓ２、ｓ３、ｓ４、ｓ５、ｓ６、ｓ７、ｓ８、ｓ９であり、チャネル行列Ｑは
【数２】
2019522938.tif 000204
である。
【００１５】
第１の態様に関連して、第４の可能な実装において、Ｎ個のサブキャリアでＮ個の高次変調信号を伝送する段階は、Ｎ個のサブバンドのＮ個のサブキャリアでＮ個の高次変調信号を伝送する段階であって、Ｎ個のサブキャリアにおける第ｎのサブキャリアは、Ｎ個のサブバンドにおける第ｎのサブバンドのサブキャリアであり、Ｎ個のサブバンドはＭ個のチャネルの周波数領域リソースにおけるサブバンドである、段階を含む。
【００１６】
ここで、複数の高次変調信号は、複数のサブバンドの複数のサブキャリアで伝送され得る。複数のサブバンドは、ワイドバンドチャネルの周波数領域リソースに基づく分割を通して取得される。
【００１７】
第１の態様の第４の可能な実装に関連して、第５の可能な実装において、Ｎ＝４であるとき、Ｎ個のサブバンドは、第１サブバンド、第２サブバンド、第３サブバンドおよび第４サブバンドであり、Ｎ個のサブキャリアは、第１サブキャリア、第２サブキャリア、第３サブキャリアおよび第４サブキャリアであり、Ｎ個の高次変調信号は、第１高次変調信号
【数３】
2019522938.tif 000205
、第２高次変調信号
【数４】
2019522938.tif 000206
、第３高次変調信号
【数５】
2019522938.tif 000207
および第４高次変調信号
【数６】
2019522938.tif 000208
であり、ｘ１＊はｘ１の共役であり、ｘ２＊はｘ２の共役であり、Ｎ個のサブバンドのＮ個のサブキャリアでＮ個の高次変調信号を伝送する段階は、第１サブバンドの第１サブキャリアで第１高次変調信号
【数７】
2019522938.tif 000209
を伝送する段階と、第２サブバンドの第２サブキャリアで第２高次変調信号
【数８】
2019522938.tif 000210
を伝送する段階と、第３サブバンドの第３サブキャリアで第３高次変調信号
【数９】
2019522938.tif 000211
を伝送する段階と、第４サブバンドの第４サブキャリアで第４高次変調信号
【数１０】
2019522938.tif 000212
を伝送する段階とを含む。
【００１８】
任意選択で、複数の低次変調信号は、ｓ１およびｓ２であり、チャネル行列Ｑは、
【数１１】
2019522938.tif 000213
であるか、または、チャネル行列Ｑは、
【数１２】
2019522938.tif 000214
である。
【００１９】
第１の態様の第４の可能な実装に関連して、第６の可能な実装において、Ｎ＝３であるとき、Ｎ個のサブバンドは、第１サブバンド、第２サブバンドおよび第３サブバンドであり、Ｎ個のサブキャリアは、第１サブキャリア、第２サブキャリアおよび第３サブキャリアであり、Ｎ個の高次変調信号は、第１高次変調信号
【数１３】
2019522938.tif 000215
、第２高次変調信号
【数１４】
2019522938.tif 000216
、第３高次変調信号
【数１５】
2019522938.tif 000217
であり、Ｎ個のサブバンドのＮ個のサブキャリアでＮ個の高次変調信号を伝送する段階は、第１サブバンドの第１サブキャリアで第１高次変調信号
【数１６】
2019522938.tif 000218
を伝送する段階と、第２サブバンドの第２サブキャリアで第２高次変調信号
【数１７】
2019522938.tif 000219
を伝送する段階と、第３サブバンドの第３サブキャリアで第３高次変調信号
【数１８】
2019522938.tif 000220
を伝送する段階とを含む。
【００２０】
任意選択で、複数の低次変調信号は、ｓ１、ｓ２およびｓ３であり、チャネル行列Ｑは、
【数１９】
2019522938.tif 000221
である。
【００２１】
第２態様によれば、信号伝送装置が提供される。装置は、第１の態様または第１の態様の任意の可能な実装における方法を実行するよう構成される。具体的には、装置は、第１の態様または第１の態様の任意の可能な実装における方法を実行するよう構成されるユニットを備える。
【００２２】
第３態様によれば、信号伝送装置が提供される。装置は、受信機、送信機、メモリ、プロセッサおよびバスシステムを備える。受信機、送信機、メモリおよびプロセッサは、バスシステムを使用することによって接続される。メモリは、命令を記憶するよう構成される。プロセッサは、受信機を制御して信号を受信するために、および、送信機を制御して信号を送信するために、メモリに記憶された命令を実行するよう構成される。加えて、メモリに記憶された命令をプロセッサが実行するとき、プロセッサは、第１の態様または第１の態様の任意の可能な実装における方法を実行することが可能である。
【００２３】
第４態様によれば、コンピュータ可読媒体が提供される。コンピュータ可読媒体は、コンピュータプログラムを記憶するよう構成される。コンピュータプログラムは、第１の態様または第１の態様の任意の可能な実装における方法を実行するために使用される命令を含む。
【図面の簡単な説明】
【００２４】
【図１】本願の実施形態に係るチャネル分割の概略図である。
【００２５】
【図２】本願の実施形態に係る適用シナリオの概略図である。
【００２６】
【図３】直交位相偏移変調のコンスタレーション図の概略図である。
【００２７】
【図４】１６直交振幅変調のコンスタレーション図の概略図である。
【００２８】
【図５】６４直交振幅変調のコンスタレーション図の概略図である。
【００２９】
【図６】６４直交振幅変調のコンスタレーション図の別の概略図である。
【００３０】
【図７】２５６直交振幅変調のコンスタレーション図の概略図である。
【００３１】
【図８】本願の実施形態に係る信号伝送方法の概略フローチャートである。
【００３２】
【図９】チャネルアグリゲーションの概略的な原理図である。
【００３３】
【図１０】本願の実施形態に係る２チャネルアグリゲーションの例の概略図である。
【００３４】
【図１１】本願の実施形態に係る２チャネルアグリゲーションの別の例の概略図である。
【００３５】
【図１２】本願の実施形態に係る２チャネルアグリゲーションの別の例の概略図である。
【００３６】
【図１３】本願の実施形態に係る２チャネルアグリゲーションの別の例の概略図である。
【００３７】
【図１４】本願の実施形態に係る２チャネルアグリゲーションの別の例の概略図である。
【００３８】
【図１５】本願の実施形態に係る２チャネルアグリゲーションの更に別の例の概略図である。
【００３９】
【図１６】本願の実施形態に係る３チャネルアグリゲーションの例の概略図である。
【００４０】
【図１７】本願の実施形態に係る３チャネルアグリゲーションの別の例の概略図である。
【００４１】
【図１８】ワイドバンドチャネルのデータ構造の概略図である。
【００４２】
【図１９】本願の実施形態に係るワイドバンドチャネルの例の概略図である。
【００４３】
【図２０】本願の実施形態に係るワイドバンドチャネルの別の例の概略図である。
【００４４】
【図２１】本願の実施形態に係る信号伝送装置の概略ブロック図である。
【００４５】
【図２２】本願の実施形態に係る信号伝送装置の概略的な構造図である。
【発明を実施するための形態】
【００４６】
以下では、添付図面に関連して、本願の実施形態における技術的解決法を明確に説明する。
【００４７】
本願の実施形態における技術的解決法は、様々な通信システム、例えば、グローバルシステムフォーモバイルコミュニケーション（ＧＳＭ（登録商標））、符号分割多重アクセス（Ｃｏｄｅ  Ｄｉｖｉｓｉｏｎ  Ｍｕｌｔｉｐｌｅ  Ａｃｃｅｓｓ、ＣＤＭＡ）システム、ワイドバンド符号分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）システム、および、ユニバーサルモバイル通信システム（ＵＭＴＳ）に適用され得ることを理解すべきである。
【００４８】
図１に示されるように、本願の実施形態にけるチャネルは、無料の６０ＧＨｚ周波数帯域を分割することによって取得された４個のチャネルであり、図１におけるシーケンス番号１、２、３および４に対応する。４個のチャネルは各々、２．１６ＧＨｚの帯域幅を有し、４個のチャネルに対応する中心周波数は、それぞれ、５８．３２０ＧＨｚ、６０．４８０ＧＨｚ、６２．６４０ＧＨｚおよび６４．８００ＧＨｚであることに留意すべきである。
【００４９】
図２は、適用シナリオの概略図である。本願の実施形態における技術的解決法は、ワイヤレス・フィディリティ（Ｗｉｒｅｌｅｓｓ  Ｆｉｄｅｌｉｔｙ、Ｗｉ−Ｆｉ）ネットワークにおけるアクセスポイント（Ａｃｃｅｓｓ  ｐｏｉｎｔ、ＡＰ）と局（Ｓｔａｔｉｏｎ、ＳＴＡ）との間の通信に適用され得る。図２に示されるように、ＳＴＡ１  １０２およびＳＴＡ２  １０２は、ＡＰ１０１に接続される。ＡＰ１０１は、無線信号を使用することによってＳＴＡ  １０２と通信し得る。通常、通信に使用される無線信号は、特定の変調方式を使用することによって送信および受信され、変調方式は、２種類のシングルキャリア変調およびマルチキャリア変調に分類される。
【００５０】
本願の実施形態は、図２における適用シナリオのみを例として使用することによって説明されることを理解すべきである。しかしながら、本願はそれに限定されるものではない。例えば、図２において、ＳＴＡ１  １０２およびＳＴＡ２  １０２は、説明のための例として使用され、システムは、より多くのＳＴＡをさらに備え得る。
【００５１】
図２におけるＳＴＡは、端末（Ｔｅｒｍｉｎａｌ）、移動局（Ｍｏｂｉｌｅ  Ｓｔａｔｉｏｎ，  ＭＳ）、モバイル端末（Ｍｏｂｉｌｅ  Ｔｅｒｍｉｎａｌ）または同様のものであり得て、例えば、ノートブックコンピュータまたは携帯電話デバイスであり得ることをさらに理解すべきである。端末は、無線アクセスネットワーク（Ｒａｄｉｏ  Ａｃｃｅｓｓ  Ｎｅｔｗｏｒｋ、ＲＡＮ）を介して１または複数のコアネットワークと通信し得る。例えば、端末は、携帯電話（または「セルラー方式」電話とも称される）、または、モバイル端末を有するコンピュータであり得る。例えば、端末は代替的に、音声および／またはデータを無線アクセスネットワークと交換する、ポータブル、ポケットサイズ、ハンドヘルド、コンピュータ内蔵、または、車載のモバイル装置であり得る。図２におけるＡＰは、ＳＴＡとネットワークとの間の通信を提供するよう構成され、端末がネットワークにアクセスするアクセスポイントである。
【００５２】
本願の実施形態は、ＷＬＡＮシステムにおけるＡＰおよびＳＴＡのみを例として使用することによって説明されるが、本願はそれに限定されるものではない。本願の実施形態に係る方法および装置は、別の通信システムにおける基地局およびユーザ機器にも適用され得る。同様に、本願の実施形態は、ＷＬＡＮシステムのみを例として使用することによって説明されるが、本願はそれに限定されるものではないことをさらに理解すべきである。本願の実施形態に係る方法および装置は、別の通信システムにも適用され得る。
【００５３】
現在のＷｉ−Ｆｉ技術において、米国電気電子技術者協会（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ、ＩＥＥＥ）８０２．１１ａｄ技術を実装するための解決法の１つは、直交周波数分割多重方式（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）システムである。本願の実施形態における技術的解決法はＯＦＤＭシステムに適用され得る。ＯＦＤＭは、マルチキャリア変調方式であり、符号間干渉の影響を低減および削減することによってチャネルの周波数選択的フェージングを克服する。ＯＦＤＭによってサポートされる変調方式は、スタッガード直交位相偏移変調（ｓｔａｇｇｅｒｅｄ  ｑｕａｄｒｉｐｈａｓｅ  ｓｈｉｆｔ  ｋｅｙｉｎｇ、ＳＱＰＳＫ）、直交位相偏移変調（Ｑｕａｄｒａｔｕｒｅ  Ｐｈａｓｅ  Ｓｈｉｆｔ  Ｋｅｙｉｎｇ、ＱＰＳＫ）、１６直交振幅変調（Ｑｕａｄｒａｔｕｒｅ  Ａｍｐｌｉｔｕｄｅ  Ｍｏｄｕｌａｔｉｏｎ、ＱＡＭ）および３２ＱＡＭを含む。デュアルキャリア変調（Ｄｕａｌ  Ｃａｒｒｉｅｒ  Ｍｏｄｕｌａｔｉｏｎ、ＤＣＭ）方法はＳＱＰＳＫおよびＱＰＳＫのために使用される。
【００５４】
ＤＣＭは、周波数ダイバーシティを使用することによって送信性能を改善するための方法である。例えば、２個の送信予定の信号ｓ１、ｓ２について、２個の信号を組み合わせることによって生成される信号
【数２０】
2019522938.tif 000222
および
【数２１】
2019522938.tif 000223
が異なる周波数（キャリア）で同時に送信される。例えば、周波数ダイバーシティの効果を達成するために、信号ｘ１、ｘ２はそれぞれ、周波数ｆ１および周波数ｆ２で送信される。ｓ１、ｓ２は、
【数２２】
2019522938.tif 000224
として表現され得る。本明細書において、ＤＣＭでは、信号ｓ１、ｓ２およびｘ１、ｘ２は、典型的なコンスタレーション図における点である必要がある。例えば、典型的な実装において、ｓ１、ｓ２がＱＰＳＫ信号であるとき、Ｑとｓ１、ｓ２とが乗算され、その結果、２個の１６ＱＡＭ信号ｘ１、ｘ２を生成でき、ここで、
【数２３】
2019522938.tif 000225
である。
【００５５】
しかしながら、既存の８０２．１１ａｄ規格においては、信号伝送のために同時に使用できるのは、１個のチャネルのみである。従って、伝送のスループットは相対的に低く、より多くのダイバーシティを柔軟に実装できない。従って、本願では、信号が複数のチャネルの複数のサブキャリアで伝送される解決法を提供する。本願における信号伝送の中心的思想は、複数のチャネルおよび複数のサブキャリアが組み合わされて複数のチャネルで信号を伝送することである。これにより、ダイバーシティ利得の効率を改善できる。
【００５６】
本願の実施形態において、信号が複数のチャネルで伝送されるとき、「複数の低次変調信号の組み合わせへの高次変調信号の分割」の関連内容が含まれる。以下ではまず、高次変調信号が複数の低次変調信号の組み合わせに分割され得ることの関連内容を詳細に説明する。説明を容易にするべく、以下では、高次変調信号を示すためにｘを使用し、低次変調信号を示すためにｓを使用する。高次変調信号および低次変調信号は、行列の形式で表現され得る。具体的には以下の場合が含まれる。
【００５７】
１）ＱＰＳＫ＝二位相偏移変調（Ｂｉｎａｒｙ  Ｐｈａｓｅ  Ｓｈｉｆｔ  Ｋｅｙｉｎｇ、ＢＰＳＫ）＋ＢＰＳＫ
【００５８】
高次変調信号がＱＰＳＫ信号であるとき、ＱＰＳＫ信号ｘは、２個の低次変調信号、すなわちＢＰＳＫ信号の組み合わせに分割され得る。ＱＰＳＫ信号ｘの値は、
【数２４】
2019522938.tif 000226
であり得る。
【００５９】
例えば、図３は、ＱＰＳＫのコンスタレーション図の概略図である。図３に示されるように、図における４個の黒色の点は、ＱＰＳＫ信号ｘの値に対応する。
【００６０】
具体的には、ｘは、２個のＢＰＳＫ信号ｓ１、ｓ２の組み合わせに分割され得て、
【数２５】
2019522938.tif 000227
として表現される。ｓ１の値は｛１，−１｝を含み、ｓ２の値は｛１，−１｝を含む。α１、α２の組み合わせ方式には２つある。表１は、α１、α２の組み合わせ係数を示す。
［表１  ＱＰＳＫ＝ＢＰＳＫ＋ＢＰＳＫにおける組み合わせ係数］
【表１】
2019522938.tif 000228
【００６１】
２）１６ＱＡＭ＝ＱＰＳＫ＋ＱＰＳＫ
【００６２】
高次変調信号が１６ＱＡＭ信号であるとき、１６ＱＡＭ信号ｘは、２個の低次変調信号、すなわちＱＰＳＫ信号の組み合わせに分割され得る。１６ＱＡＭ信号ｘの値は、
【数２６】
2019522938.tif 000229
であり得る。
【００６３】
例えば、図４は、１６ＱＡＭのコンスタレーション図の概略図である。図４に示されるように、図における１６個の黒色の点は、１６ＱＡＭ信号ｘの値に対応する。
【００６４】
具体的には、ｘは、２個のＱＰＳＫ信号ｓ１、ｓ２の組み合わせに分割され、
【数２７】
2019522938.tif 000230
として表現され得る。ｓ１の値は、
【数２８】
2019522938.tif 000231
を含み、ｓ２の値は、
【数２９】
2019522938.tif 000232
を含む。α１、α２の組み合わせ方式には４つある。表２は、α１、α２の組み合わせ係数を示す。
［表２  １６ＱＡＭ＝ＱＰＳＫ＋ＱＰＳＫにおける組み合わせ係数］
【表２】
2019522938.tif 000233
【００６５】
α１、α２は、α１、α２の４個の上述の方式に基づいてｘの数式に代入され、
【数３０】
2019522938.tif 000234
がこれに対応して取得され得る。
【００６６】
３）６４ＱＡＭ＝ＱＰＳＫ＋ＱＰＳＫ＋ＱＰＳＫ
【００６７】
高次変調信号が６４ＱＡＭ信号であるとき、６４ＱＡＭ信号ｘは、３個の低次変調信号、すなわちＱＰＳＫ信号の組み合わせに分割され得る。６４ＱＡＭ信号ｘの値は、
【数３１】
2019522938.tif 000235
であり得る。
【００６８】
例えば、図５は、６４ＱＡＭのコンスタレーション図の概略図である。図５に示されるように、図における６４個の黒色の点は、６４ＱＡＭ信号ｘの値に対応する。
【００６９】
具体的には、ｘは３個のＱＰＳＫ信号ｓ１、ｓ２、ｓ３の組み合わせに分割され、
【数３２】
2019522938.tif 000236
で表現され得る。ｓ１の値は
【数３３】
2019522938.tif 000237
を含み、ｓ２の値は
【数３４】
2019522938.tif 000238
を含み、ｓ３の値は
【数３５】
2019522938.tif 000239
を含む。α１、α２、α３には、複数の組み合わせ方式があり、ここでは、２４種類の組み合わせ方式を列挙する。  表３は、α１、α２、α３の組み合わせ係数を示す。
［表３  ６４ＱＡＭ＝ＱＰＳＫ＋ＱＰＳＫ＋ＱＰＳＫにおけるα１、α２、α３の組み合わせ係数］
【表３】
2019522938.tif 000240
【００７０】
上述の２４の組み合わせは、以下の方式で生成される。
【００７１】
まず、表３におけるα１、α２、α３の基本組み合わせ係数に基づいて、８個の基本組み合わせがｘのために生成され、換言すれば、
【数３６】
2019522938.tif 000241
である。ｘの８個の基本組み合わせの値は、
【数３７】
2019522938.tif 000242
である。
【００７２】
次に、８個の基本組み合わせの各々に対して２回の巡回シフトが実行され、各シフト後に、８組の値が生成される。
【００７３】
【数３８】
2019522938.tif 000243
については、１ビットの巡回シフト後に
【数３９】
2019522938.tif 000244
が取得され、２ビットの巡回シフト後に
【数４０】
2019522938.tif 000245
が取得される。ｘが巡回シフトされた後に取得される他の値は同様であり、詳細は説明しない。
【００７４】
４）６４ＱＡＭ＝ＱＰＳＫ＋１６ＱＡＭ
【００７５】
高次変調信号が６４ＱＡＭ信号であるとき、６４ＱＡＭ信号ｘは代替的に、１個の低次変調信号、すなわちＱＰＳＫ信号、および、１個の１６ＱＡＭ信号の組み合わせに分割され得る。６４ＱＡＭ信号ｘの値は、
【数４１】
2019522938.tif 000246
であり得る。
【００７６】
例えば、図６は、６４ＱＡＭのコンスタレーション図の別の概略図である。図６に示されるように、図における６４個の黒色の点は、６４ＱＡＭ信号ｘの値に対応する。
【００７７】
具体的には、ｘは、１個のＱＰＳＫ信号ｓ１、および、１個の１６ＱＡＭ信号ｓ２の組み合わせに分割され、
【数４２】
2019522938.tif 000247
として表現され得る。ｓ１の値は、
【数４３】
2019522938.tif 000248
を含み、ｓ２の値は、
【数４４】
2019522938.tif 000249
を含む。α１、α２の組み合わせ方式には４つある。表４は、α１、α２の組み合わせ係数を示す。
［表４  ６４ＱＡＭ＝ＱＰＳＫ＋１６ＱＡＭにおけるα１、α２の組み合わせ係数］
【表４】
2019522938.tif 000250
【００７８】
α１、α２は、α１、α２の４個の上述の方式に基づいてｘの数式に代入され、
【数４５】
2019522938.tif 000251
がこれに対応して取得され得る。
【００７９】
５）２５６ＱＡＭ＝ＱＰＳＫ＋ＱＰＳＫ＋ＱＰＳＫ＋ＱＰＳＫ
【００８０】
高次変調信号が２５６ＱＡＭ信号であるとき、２５６ＱＡＭ信号ｘは代替的に、４個のＱＰＳＫ信号の組み合わせに分割され得る。２５６ＱＡＭ信号ｘの値は、
【数４６】
2019522938.tif 000252
であり得る。
【００８１】
例えば、図７は、２５６ＱＡＭのコンスタレーション図の概略図である。図７に示されるように、図における２５６個の黒色の点は、２５６ＱＡＭ信号ｘの値に対応する。
【００８２】
具体的には、ｘは、４個のＱＰＳＫ信号ｓ１、ｓ２、ｓ３、ｓ４の組み合わせに分割され、
【数４７】
2019522938.tif 000253
として表現され得る。ｓ１の値は、
【数４８】
2019522938.tif 000254
を含み、ｓ２の値は、
【数４９】
2019522938.tif 000255
を含み、ｓ３の値は、
【数５０】
2019522938.tif 000256
を含み、ｓ４の値は、
【数５１】
2019522938.tif 000257
を含む。α１、α２、α３、α４には、複数の組み合わせ方式があり、ここでは、６４種類の組み合わせ方式を列挙する。表５は、α１、α２、α３、α４の組み合わせ係数を示す。
［表５  ２５６ＱＡＭ＝ＱＰＳＫ＋ＱＰＳＫ＋ＱＰＳＫ＋ＱＰＳＫにおけるα１、α２、α３、α４の組み合わせ係数］
【表５】
2019522938.tif 000258
【００８３】
上述の６４の組み合わせは、以下の方式で生成される。
【００８４】
まず、表５におけるα１、α２、α３、α４の基本組み合わせ係数に基づいて、１６個の基本組み合わせがｘのために生成され、換言すれば、
【数５２】
2019522938.tif 000259
であり、
【数５３】
2019522938.tif 000260
である。
【００８５】
次に、１６個の基本組み合わせの各々に対して３回の巡回シフトが実行され、各シフト後に１６組の値が生成される。
【００８６】
例えば、
【数５４】
2019522938.tif 000261
は、
【数５５】
2019522938.tif 000262
が１ビット巡回シフトされた後に取得され、
【数５６】
2019522938.tif 000263
は、
【数５７】
2019522938.tif 000264
が２ビット巡回シフトされた後に取得され、
【数５８】
2019522938.tif 000265
は、
【数５９】
2019522938.tif 000266
が３ビット巡回シフトされた後に取得される。ｘの他の値が巡回シフトされた後に取得された値は同様であり、ここでは詳細を説明しない。
【００８７】
上記では、いくつかの高次変調信号を低次変調信号に分割する複数の場合を列挙した。高次変調信号が分割されて生じる低次変調信号の組み合わせにはより多くの形式があり得ることを理解すべきである。これは限定されるものではない。
【００８８】
図８、本願の実施形態に係る信号伝送方法３００の概略フローチャートである。図８に示されるように、方法３００は、以下の段階を備える。
【００８９】
Ｓ３１０．複数の低次変調信号を組み合わせてＮ個の高次変調信号にする。
【００９０】
Ｓ３２０．Ｎ個のサブキャリアでＮ個の高次変調信号を伝送し、ここで、Ｎ個のサブキャリアは、Ｍ個のチャネルの周波数領域リソースにおけるサブキャリアであり、Ｎ個の高次変調信号における第ｎの高次変調信号は、Ｎ個のサブキャリアにおける第ｎのサブキャリアで伝送され、Ｎは２以上の整数であり、Ｍは２以上の整数であり、ｎ＝１，２，...，Ｎである。
【００９１】
具体的には、信号伝送装置は、複数の低次変調信号を組み合わせてＮ個の高次変調信号にし、次に、Ｎ個のサブキャリアでＮ個の高次変調信号を伝送する。Ｎ個のサブキャリアは、複数の（例えばＭ個の）チャネルの周波数領域リソースにおけるサブキャリアである。Ｎ個の高次変調信号における第ｎの高次変調信号は、Ｎ個のサブキャリアにおける第ｎのサブキャリアで伝送され、Ｎは２以上の整数であり、Ｍは２以上の整数であり、ｎ＝１，２，...，Ｎである。
【００９２】
本願のこの実施形態において、送信予定の信号は低次変調信号であり、低次変調信号は高次変調信号に組み合わされ、送信予定の低次変調信号は高次変調信号を使用することによって複数のチャネルで伝送される。
【００９３】
本願のこの実施形態において、複数の低次変調信号の数は、Ｎであり得る、または、Ｎ／２であり得る。これは限定されるものではない。例えば、２個の低次変調信号および対応する共役信号がサブキャリアで伝送されるとき、４個の対応する高次変調信号は４個のサブキャリアで伝送される。
【００９４】
本願のこの実施形態において、Ｎ個のサブキャリアがＭ個のチャネルの周波数領域リソースにおけるサブキャリアであることは、以下の場合を含む。第１の場合において、Ｎ個のサブキャリアは、Ｍ個のチャネルにおけるチャネル上のサブキャリアである。第２の場合において、Ｎ個のサブキャリアは、Ｎ個のサブバンドにおけるサブバンド上のサブキャリアであり、Ｎ個のサブバンドは、周波数領域リソースを使用することによってワイドバンドチャネルを分割することによって取得されるサブバンドである。
【００９５】
本願のこの実施形態において、ＮおよびＭは両方、２以上の整数である。Ｎは、複数の高次変調信号を示すために、または、複数のサブキャリアを示すために導入され、第ｎの高次変調信号は、第ｎのサブキャリアで伝送される。Ｍは、複数のチャネルを示すために導入され、Ｎ個のサブキャリアは、Ｍ個のチャネルの周波数領域リソース上のサブキャリアである。サブキャリア数Ｎとチャネル数Ｍとの間の関係は、具体的状況に関連して選択され得る。例えば、２個のチャネル上に４個のサブキャリア、または、３個のチャネル上に９個のサブキャリアが存在し得る。これは限定されるものではない。
【００９６】
従って、本願のこの実施形態における信号伝送方法において、複数の低次変調信号は、Ｎ個の高次変調信号に組み合わされ、Ｎ個の高次変調信号は、Ｎ個のサブキャリアで伝送され、ここで、Ｎ個のサブキャリアは、Ｍ個のチャネルの周波数領域リソースにおけるサブキャリアである。これにより、ダイバーシティ利得の効率を改善できる。
【００９７】
任意選択で、本願のこの実施形態において、複数の低次変調信号を組み合わせてＮ個の高次変調信号にすることは、複数の低次変調信号およびチャネル行列Ｑに基づいて、Ｎ個の高次変調信号を決定することを含む。
【００９８】
具体的には、例えば、複数の低次変調信号の複数の高次変調信号が決定されるとき、Ｎ個の高次変調信号を取得するべく、複数の低次変調信号を含む列ベクトルは、チャネル行列Ｑで乗算され得る。例えば、具体的な操作については、高次変調信号を低次変調信号に分割する上述の複数の場合を参照されたい。ここでは詳細を再度説明しない。
【００９９】
本願のこの実施形態において、複数のサブキャリアは、複数のチャネルにおけるサブキャリアである、または、複数のサブキャリアは、複数のサブバンドにおけるサブキャリアであり、ここで、複数のサブバンドは、ワイドバンドチャネルの周波数領域リソースに基づく分割を通して取得される。
【０１００】
本願のこの実施形態における技術的解決法において、チャネルアグリゲーション（ｃｈａｎｎｅｌ  ａｇｇｒｅｇａｔｉｏｎ）の解決法またはワイドバンドチャネル（ｗｉｄｅｂａｎｄ）の解決法が伝送に使用され得る。ここで、「複数のサブキャリアが複数のチャネルにおけるサブキャリアである」ことは、「チャネルアグリゲーション」の解決法に対応し、「複数のサブキャリアが複数のサブバンドにおけるサブキャリアである」ことは、「ワイドバンドチャネル」の解決法に対応する。
【０１０１】
以下では、「チャネルアグリゲーション」シナリオまたは「ワイドバンドチャネル」シナリオという２個の適用シナリオにおける本願の技術的解決法を詳細に説明する。
【０１０２】
まず、複数の「チャネルアグリゲーション」の場合において、本願のこの実施形態を説明する。具体的な実施形態が説明されるので、「チャネルアグリゲーション」の具体的な実装原理はまず、図９を参照して説明される。ここでは、３個のチャネルがある例が説明のために使用される。図９に示されるように、チャネル１のデータは符号化および変調を受け、次に、対応するキャリア周波数信号
【数６０】
2019522938.tif 000267
で乗算され、チャネル２のデータは、符号化および変調を受け、次に、対応するキャリア周波数信号
【数６１】
2019522938.tif 000268
で乗算され、チャネル３のデータは、符号化および変調を受け、次に、対応するキャリア周波数信号
【数６２】
2019522938.tif 000269
で乗算され、最後に、３個のチャネルのデータが重ね合わされて送信される。
【０１０３】
任意選択で、実施形態において、Ｎ個のサブキャリアにおいてＮ個の高次変調信号を伝送することは、Ｍ個のチャネルにおける第ｍのチャネルのｋ個のサブキャリアで、Ｎ個の高次変調信号のうちのｋ個を伝送することを含み、ここで、Ｎ＝Ｍ×ｋであり、ｋは２より大きい整数であり、ｍ＝１，２，...，Ｍである。
【０１０４】
具体的には、複数の高次変調信号は、複数のチャネルの各々の複数のサブキャリアで伝送され得る。例えば、Ｎ個の高次変調信号のうちのｋ個は、Ｍ個のチャネルにおける第ｍのチャネルのｋ個のサブキャリアで伝送される。ここで、Ｎ＝Ｍ×ｋであり、ｋは２より大きい整数であり、ｍ＝１，２，...，Ｍである。例えば、ｋ＝３、Ｍ＝３、Ｎ＝９であるとき、９個の高次変調信号のうち３個は、３個のチャネルにおける１個のチャネル（例えば、第ｍのチャネル）の３個のサブキャリアで伝送される（すなわち、３個のチャネルが集約されるとき、９個の高次変調信号は９個のサブキャリアで伝送される）。
【０１０５】
ここでは、ｍおよびＭは、複数のチャネルのうち１個を示すために導入されているが、本願に対して具体的な限定を構成しないことを理解すべきである。当然、例えばＮ個の高次変調信号のうちのｋ個など、他の導入された文字の機能は同様である。これは限定されるものではない。
【０１０６】
換言すれば、高次変調信号は、異なるチャネルにおいて別個に伝送される。このように、本願と、１個のチャネルのみで伝送が実行される従来技術との間の違いは、複数の高次変調信号が複数のチャネルのサブキャリアで伝送され、それにより、周波数ダイバーシティ利得の効率を改善するという点である。ここで、周波数ダイバーシティ利得が生成される理由は、チャネルが周波数領域選択フェージングを有するからである。１個のチャネルで伝送される信号が複数のチャネルに分散され、次に、チャネル行列Ｑを使用することによって、分散された信号が是正される場合、信号の正確度が改善し、周波数ダイバーシティ利得も実装される。
【０１０７】
従って、本願のこの実施形態における信号伝送方法において、複数の低次変調信号は、Ｎ個の高次変調信号に組み合わされ、Ｎ個の高次変調信号は、Ｎ個のサブキャリアで伝送され、ここで、Ｎ個のサブキャリアは、Ｍ個のチャネルの周波数領域リソースにおけるサブキャリアである。具体的には、Ｎ個の高次変調信号のうちのｋ個は、Ｍ個のチャネルにおける第ｍのチャネルのｋ個のサブキャリアで伝送される。これにより、ダイバーシティ利得の効率を改善できる。
【０１０８】
任意選択で、実施形態において、Ｍ＝２かつＮ＝４であるとき、Ｍ個のチャネルは第１チャネルおよび第２チャネルであり、Ｎ個のサブキャリアは第１サブキャリア、第２サブキャリア、第３サブキャリアおよび第４サブキャリアであり、Ｎ個の高次変調信号は第１高次変調信号ｘ１、第２高次変調信号ｘ２、第３高次変調信号ｘ３および第４高次変調信号ｘ４であり、Ｎ個の高次変調信号をＮ個のサブキャリアで伝送する段階は、第１チャネルの第１サブキャリアで第１高次変調信号ｘ１を伝送する段階と、第２高次変調信号ｘ２を第２チャネルの第２サブキャリアで伝送する段階と、第３高次変調信号ｘ３を第１チャネルの第３サブキャリアで伝送する段階と、第４高次変調信号ｘ４を第２チャネルの第４サブキャリアで伝送する段階とを含む。
【０１０９】
例えば、４個の高次変調信号ｘ１、ｘ２、ｘ３およびｘ４は、チャネル行列Ｑを４個の低次変調信号ｓ１、ｓ２、ｓ３およびｓ４で乗算することによって取得され得て、具体的には、以下のように表現される。
【数６３】
2019522938.tif 000270
【０１１０】
従って、４個の高次変調信号は、２個のチャネルの４個のサブキャリアで伝送される。これにより、ダイバーシティ利得の効率を改善できる。
【０１１１】
本願のこの実施形態における番号「第１、第２、...」は単に、異なるオブジェクトを区別する、例えば、異なる変調信号、異なるサブキャリア、異なるチャネルまたは同様のものを区別することを意図するものであり、本願のこの実施形態に対して限定を構成しないことを理解すべきである。以下の実施形態における番号「第１、第２、...」も、実施形態に対して限定を構成しない。
【０１１２】
図１０は、本願の実施形態に係る２チャネルアグリゲーションの例の概略図である。図１０において示されるように、第１高次変調信号ｘ１は、第１チャネルの第１サブキャリアで伝送され、第２高次変調信号ｘ２は、第２チャネルの第２サブキャリアで伝送され、第３高次変調信号ｘ３は、第１チャネルの第３サブキャリアで伝送され、第４高次変調信号ｘ４は、第２チャネルの第４サブキャリアで伝送される。このように、高次変調信号は、複数のチャネルの複数のサブキャリアで伝送され、それにより、ダイバーシティ利得を実装する。第１サブキャリアおよび第２サブキャリアは同一のシーケンス番号を有し、第３サブキャリアおよび第４サブキャリアは同一のシーケンス番号を有する。第１サブキャリアと第３サブキャリアとの間隔は、データを伝送するためにユーザによって使用されるサブキャリアの数の半分である。
【０１１３】
任意選択で、複数の低次変調信号は、ｓ１、ｓ２、ｓ３、ｓ４であり、チャネル行列Ｑは、
【数６４】
2019522938.tif 000271
のいずれか１つである。.
【０１１４】
以下では、具体的な例に関連して、本願のこの実施形態を詳細に説明する。上述および以下の説明における例は単に、当業者が本願のこの実施形態をより良く理解することを助けることを意図するものであるが、本願のこの実施形態の範囲を限定することを意図するものではないことに留意すべきである。
【０１１５】
２チャネルアグリゲーションに基づくＤＣＭの解決法について、具体的には以下の場合が含まれる。
【０１１６】
１）ＢＰＳＫのために２チャネルアグリゲーションが使用されるとき、高次変調信号および低次変調信号が以下のように表現される。
【数６５】
2019522938.tif 000272
ここで、チャネル行列Ｑは
【数６６】
2019522938.tif 000273
であり、ｓ１、ｓ２、ｓ３、ｓ４はＢＰＳＫ変調信号であり、ｘ１、ｘ２、ｘ３、ｘ４はＱＰＳＫ変調信号であり、ｘ３＝ｘ２'、ｘ４＝ｘ１'、および、（）'は、共役を取得することを意味する。
【０１１７】
例えば、図１１は、本願の実施形態に係る２チャネルアグリゲーションの例の概略図である。図１１に示されるように、この例において、第１高次変調信号ｘ１は、第１チャネルの第１サブキャリアで伝送され、第２高次変調信号ｘ２は、第２チャネルの第２サブキャリアで伝送され、第３高次変調信号ｘ３は、第１チャネルの第３サブキャリアで伝送され、第４高次変調信号ｘ４は、第２チャネルの第４サブキャリアで伝送され、ここで、ｘ３＝ｘ２'、ｘ４＝ｘ１'、および、（）'は、共役を取得することを意味する。
【０１１８】
従って、具体的なこの実装において、４個の高次変調信号は、２個のチャネルの４個のサブキャリアで伝送される。これにより、ダイバーシティ利得の効率を改善できる。
【０１１９】
ｂ．２チャネルアグリゲーションがＢＰＳＫに使用されるとき、高次変調信号および低次変調信号は、
【数６７】
2019522938.tif 000274
として表現され、ここで、チャネル行列Ｑは、
【数６８】
2019522938.tif 000275
であり、ｓ１、ｓ２、ｓ３、ｓ４はＢＰＳＫ変調信号であり、ｘ１、ｘ２、ｘ３、ｘ４は、１６ＱＡＭ変調信号であり、ｘ１、ｘ２、ｘ３、ｘ４は、異なる係数を使用することによってＢＰＳＫ変調信号ｓ１、ｓ２、ｓ３、ｓ４を組み合わることによって取得される。
【０１２０】
例えば、図１２は、本願の実施形態に係る２チャネルアグリゲーションの例の概略図である。図１２において示されるように、この例において、第１高次変調信号ｘ１は、第１チャネルの第１サブキャリアで伝送され、第２高次変調信号ｘ２は、第２チャネルの第２サブキャリアで伝送され、第３高次変調信号ｘ３は、第１チャネルの第３サブキャリアで伝送され、第４高次変調信号ｘ４は、第２チャネルの第４サブキャリアで伝送される。
【０１２１】
従って、具体的なこの実装において、４個の高次変調信号は、２個のチャネルの４個のサブキャリアで伝送される。これにより、ダイバーシティ利得の効率を改善できる。
【０１２２】
２）２チャネルアグリゲーションがＱＰＳＫに使用されるとき、高次変調信号および低次変調信号は、
【数６９】
2019522938.tif 000276
として表現され、チャネル行列Ｑは、
【数７０】
2019522938.tif 000277
であり、ｓ１、ｓ２、ｓ３、ｓ４は、ＱＰＳＫ変調信号であり、ｘ１、ｘ２、ｘ３、ｘ４は、１６ＱＡＭ変調信号であり、ｘ１、ｘ４は、異なる係数を使用することによって、一組のＱＰＳＫ変調信号ｓ１、ｓ２を組み合わせることによって取得され、ｘ２、ｘ３は、異なる係数を使用することによって、一組のＱＰＳＫ変調信号ｓ３、ｓ４を組み合わせることによって取得される。
【０１２３】
例えば、図１３は、本願の実施形態に係る２チャネルアグリゲーションの例の概略図である。図１３において示されるように、この例において、第１高次変調信号ｘ１は、第１チャネルの第１サブキャリアで伝送され、第２高次変調信号ｘ２は、第２チャネルの第２サブキャリアで伝送され、第３高次変調信号ｘ３は、第１チャネルの第３サブキャリアで伝送され、第４高次変調信号ｘ４は、第２チャネルの第４サブキャリアで伝送される。
【０１２４】
従って、具体的なこの実装において、４個の高次変調信号は、２個のチャネルの４個のサブキャリアで伝送される。これにより、ダイバーシティ利得の効率を改善できる。
【０１２５】
ｂ．２チャネルアグリゲーションがＱＰＳＫに使用されるとき、高次変調信号および低次変調信号は、
【数７１】
2019522938.tif 000278
として表現され得て、ここで、チャネル行列Ｑは、
【数７２】
2019522938.tif 000279
であり、ｓ１、ｓ２、ｓ３、ｓ４は、ＱＰＳＫ変調信号であり、ｘ１、ｘ２、ｘ３、ｘ４は、２５６ＱＡＭ変調信号であり、ｘ１、ｘ２、ｘ３、ｘ４は、異なる係数を使用することによって、４個のＱＰＳＫ変調信号ｓ１、ｓ２、ｓ３、ｓ４を組み合わせることによって取得される。
【０１２６】
例えば、図１４は、本願の実施形態に係る２チャネルアグリゲーションの例の概略図である。図１４において示されるように、この例において、第１高次変調信号ｘ１は、第１チャネルの第１サブキャリアで伝送され、第２高次変調信号ｘ２は、第２チャネルの第２サブキャリアで伝送され、第３高次変調信号ｘ３は、第１チャネルの第３サブキャリアで伝送され、第４高次変調信号ｘ４は、第２チャネルの第４サブキャリアで伝送される。
【０１２７】
従って、具体的なこの実装において、４個の高次変調信号は、２個のチャネルの４個のサブキャリアで伝送される。これにより、ダイバーシティ利得の効率を改善できる。
【０１２８】
３）２チャネルアグリゲーションがＱＰＳＫおよびＱＡＭに使用されるとき、高次変調信号および低次変調信号は、
【数７３】
2019522938.tif 000280
として表現され、ここで、チャネル行列Ｑは、
【数７４】
2019522938.tif 000281
であり、ｓ１、ｓ２はＱＰＳＫ変調信号、ｓ２、ｓ４は１６ＱＡＭ変調信号、ｘ１、ｘ２、ｘ３、ｘ４は６４ＱＡＭ変調信号であり、ｘ１、ｘ４は、異なる係数を使用することによって、ＱＰＳＫ変調信号ｓ１および１６ＱＡＭ変調信号ｓ２を組み合わせることによって取得され、ｘ２、ｘ３は、異なる係数を使用することによって、ＱＰＳＫ変調信号ｓ３および１６ＱＡＭ変調信号ｓ４を組み合わせることによって取得される。
【０１２９】
例えば、図１５は、本願の実施形態に係る２チャネルアグリゲーションの例の概略図である。図１５において示されるように、この例において、第１高次変調信号ｘ１は、第１チャネルの第１サブキャリアで伝送され、第２高次変調信号ｘ２は、第２チャネルの第２サブキャリアで伝送され、第３高次変調信号ｘ３は、第１チャネルの第３サブキャリアで伝送され、第４高次変調信号ｘ４は、第２チャネルの第４サブキャリアで伝送される。
【０１３０】
従って、具体的なこの実装において、４個の高次変調信号は、２個のチャネルの４個のサブキャリアで伝送される。これにより、ダイバーシティ利得の効率を改善できる。
【０１３１】
上述の複数の２チャネルアグリゲーションの解決法は単に、本願の技術的解決法を当業者が理解することを助けることを意図するものであり、本願に対する限定を構成しないことを理解すべきである。高次変調信号および低次変調信号の上述の組み合わせ方式は、代替的に、別の適切な組み合わせ方式であり得る。これは限定されるものではない。
【０１３２】
従って、本願のこの実施形態における信号伝送方法において、複数の低次変調信号は、Ｎ個の高次変調信号に組み合わされ、Ｎ個の高次変調信号は、Ｎ個のサブキャリアで伝送され、ここで、Ｎ個のサブキャリアは、Ｍ個のチャネルの周波数領域リソースにおけるサブキャリアである。具体的には、Ｎ個の高次変調信号のうちのｋ個は、Ｍ個のチャネルにおける第ｍのチャネルのｋ個のサブキャリアで伝送される。これにより、ダイバーシティ利得の効率を改善できる。
【０１３３】
任意選択で、実施形態において、Ｍ＝３かつＮ＝９であるとき、Ｍ個のチャネルは第１チャネル、第２チャネルおよび第３チャネルであり、Ｎ個のサブキャリアは第１サブキャリア、第２サブキャリア、第３サブキャリア、第４サブキャリア、第５サブキャリア、第６サブキャリア、第７サブキャリア、第８サブキャリアおよび第９サブキャリアであり、Ｎ個の高次変調信号は第１高次変調信号ｘ１、第２高次変調信号ｘ２、第３高次変調信号ｘ３、第４高次変調信号ｘ４、第５高次変調信号ｘ５、第６高次変調信号ｘ６、第７高次変調信号ｘ７、第８高次変調信号ｘ８および第９高次変調信号ｘ９であり、Ｎ個の高次変調信号をＮ個のサブキャリアで伝送する段階は、第１高次変調信号ｘ１を第１チャネルの第１サブキャリアで伝送する段階と、第２高次変調信号ｘ２を第２チャネルの第２サブキャリアで伝送する段階と、第３高次変調信号ｘ３を第３チャネルの第３サブキャリアで伝送する段階と、第４高次変調信号ｘ４を第１チャネルの第４サブキャリアで伝送する段階と、第５高次変調信号ｘ５を第２チャネルの第５サブキャリアで伝送する段階と、第６高次変調信号ｘ６を第３チャネルの第６サブキャリアで伝送する段階と、第７高次変調信号ｘ７を第１チャネルの第７サブキャリアで伝送する段階と、第８高次変調信号ｘ８を第２チャネルの第８サブキャリアで伝送する段階と、第９高次変調信号ｘ９を第３チャネルの第９サブキャリアで伝送する段階とを含む。
【０１３４】
具体的には、３チャネルアグリゲーションの解決法が使用されるとき、９個の低次変調信号ｓ１、ｓ２、...，ｓ９を行列Ｑで乗算することによって、９個の高次変調信号ｘ１、ｘ２、...，ｘ４を出力できる。例えば、図１６は、本願の実施形態に係る３チャネルアグリゲーションの例の概略図である。図１６に示されるように、高次変調信号の具体的な伝送の解決法は、第１高次変調信号ｘ１を第１チャネルの第１サブキャリアで伝送し、第２高次変調信号ｘ２を第２チャネルの第２サブキャリアで伝送し、第３高次変調信号ｘ３を第３チャネルの第３サブキャリアで伝送し、第４高次変調信号ｘ４を第１チャネルの第４サブキャリアで伝送し、第５高次変調信号ｘ５を第２チャネルの第５サブキャリアで伝送し、第６高次変調信号ｘ６を第３チャネルの第６サブキャリアで伝送し、第７高次変調信号ｘ７を第１チャネルの第７サブキャリアで伝送し、第８高次変調信号ｘ８を第２チャネルの第８サブキャリアで伝送し、第９高次変調信号ｘ９を第３チャネルの第９サブキャリアで伝送することである。このように、高次変調信号は、複数のチャネルの複数のサブキャリアで伝送され、それにより、ダイバーシティ利得の効率を改善する。
【０１３５】
第１サブキャリア、第２サブキャリアおよび第３サブキャリアは同一のシーケンス番号を有し、第４サブキャリア、第５サブキャリアおよび第６サブキャリアは同一のシーケンス番号を有し、第７サブキャリア、第８サブキャリアおよび第９サブキャリアは同一のシーケンス番号を有する。第１サブキャリアと第４サブキャリアとの間隔、および、第４サブキャリアと第７サブキャリアとの間隔は、８０２．１２ａｙにおいてデータを伝送するために使用されるサブキャリアの数の３分の１である。
【０１３６】
例えば、９個の高次変調信号ｘ１、ｘ２、ｘ３、ｘ４、...、ｘ９は、９個の低次変調信号ｓ１、ｓ２、...、ｓ９を行列Ｑで乗算することによって取得され得て、具体的には以下のように表現される。
【数７５】
2019522938.tif 000282
【０１３７】
任意選択で、複数の低次変調信号は、ｓ１、ｓ２、ｓ３、ｓ４、ｓ５、ｓ６、ｓ７、ｓ８、ｓ９であり、チャネル行列Ｑは
【数７６】
2019522938.tif 000283
である。
【０１３８】
具体的な例に関連して、以下では、３チャネルアグリゲーションの場合の解決法を説明する。具体的な説明は以下のように提供される。
【０１３９】
３チャネルアグリゲーションが６４ＱＡＭに使用されるとき、高次変調信号および低次変調信号は、
【数７７】
2019522938.tif 000284
として表現され、ここで、チャネル行列Ｑは、
【数７８】
2019522938.tif 000285
であり、ｓ１、ｓ２、ｓ３、ｓ４、ｓ５、ｓ６、ｓ７、ｓ８、ｓ９は、６４ＱＡＭ変調信号であり、ｘ１、ｘ２、ｘ３、ｘ４、ｘ５、ｘ６、ｘ７、ｘ８、ｘ９は、ＱＰＳＫ変調信号であり、ｘ１、ｘ５、ｘ９は、異なる係数を使用することによって、６４ＱＡＭ信号ｓ１、ｓ２、ｓ３を組み合わせることによって取得される３個のＱＰＳＫ信号であり、ｘ２、ｘ６、ｘ７は、異なる係数を使用することによって、６４ＱＡＭ信号ｓ４、ｓ５、ｓ６を組み合わせることによって取得される３個のＱＰＳＫ信号であり、ｘ３、ｘ４、ｘ５は、異なる係数を使用することによって、６４ＱＡＭ信号ｓ７、ｓ８、ｓ９を組み合わせることによって取得される３個のＱＰＳＫ信号である。
【０１４０】
例えば、図１７は、本願の実施形態に係る３チャネルアグリゲーションの例の概略図である。図１７に示されるように、この例において、高次変調信号の具体的な伝送の解決法は、第１高次変調信号ｘ１を第１チャネルの第１サブキャリアで伝送し、第２高次変調信号ｘ２を第２チャネルの第２サブキャリアで伝送し、第３高次変調信号ｘ３を第３チャネルの第３サブキャリアで伝送し、第４高次変調信号ｘ４を第１チャネルの第４サブキャリアで伝送し、第５高次変調信号ｘ５を第２チャネルの第５サブキャリアで伝送し、第６高次変調信号ｘ６を第３チャネルの第６サブキャリアで伝送し、第７高次変調信号ｘ７を第１チャネルの第７サブキャリアで伝送し、第８高次変調信号ｘ８を第２チャネルの第８サブキャリアで伝送し、第９高次変調信号ｘ９を第３チャネルの第９サブキャリアで伝送することである。このように、高次変調信号は、複数のチャネルの複数のサブキャリアで伝送され、それにより、ダイバーシティ利得の効率を改善する。
【０１４１】
従って、具体的なこの実装において、９個の高次変調信号は、３個のチャネルの９個のサブキャリアで伝送される。これにより、ダイバーシティ利得の効率を改善できる。
【０１４２】
従って、本願のこの実施形態における信号伝送方法において、複数の低次変調信号は、Ｎ個の高次変調信号に組み合わされ、Ｎ個の高次変調信号は、Ｎ個のサブキャリアで伝送され、ここで、Ｎ個のサブキャリアは、Ｍ個のチャネルの周波数領域リソースにおけるサブキャリアである。具体的には、Ｎ個の高次変調信号のうちのｋ個は、Ｍ個のチャネルにおける第ｍのチャネルのｋ個のサブキャリアで伝送される。これにより、ダイバーシティ利得の効率を改善できる。
【０１４３】
上記では、「チャネルアグリゲーション」の複数の場合における本願のこの実施形態を説明する。以下では、「ワイドバンドチャネル」の解決法の具体的な実施形態を説明する。具体的な実施形態を説明する前に、図１８に関連して、「ワイドバンドチャネル」の解決法の実装原理を説明する。
【０１４４】
図１８は、ＯＦＤＭデータ構造の概略図である。図１８に示されるように、マルチキャリアＯＦＤＭデータ構造は、サイクリックプレフィックス（Ｃｙｃｌｉｃ  Ｐｒｅｆｉｘ、ＣＰ）およびＯＦＤＭシンボルを含む。ＯＦＤＭシンボルの周波数領域におけるサブキャリアが、データを伝送するために使用され、変調ＯＦＤＭシンボルが（シンボルは変調信号として理解され得る）、周波数領域データブロックを形成し、次に、周波数領域データブロックが、逆フーリエ変換を通して、対応する時間領域信号に変換される。
【０１４５】
図１８において、１個のチャネルの場合、周波数領域においてチャネルに５１２個のサブキャリアがあり、サブキャリア間隔はΔＦであり、１１ａｄにおいて５．１５６２５ＭＨｚであり、対応する帯域幅（Ｂａｎｄｗｉｄｔｈ、ＢＷ）はＢＷ＝２．６４ＧＨｚである。対応して、時間領域における信号伝送時間はΔＴであり、１１ａｄにおいて０．３８ｎｓであり、合計５１２個の信号が伝送され、対応する合計伝送時間Ｔは１９４ｎｓに等しい。
【０１４６】
図１８において、２個のチャネルの場合、周波数領域において２個のチャネルに１０２４個のサブキャリアがあり、サブキャリア間隔ΔＦは変化しないままであり、対応する帯域幅は２ＢＷ＝５．２８ＧＨｚである。対応して、時間領域における信号伝送時間はΔＴ、０．１９ｎｓであり、合計１０２４個の信号が伝送され、対応する合計伝送時間Ｔは変化しないままである。
【０１４７】
図１８において、３個のチャネルの場合、周波数領域における３個のチャネルに１５３６のサブキャリアがあり、サブキャリア間隔ΔＦは変化しないままであり、対応する帯域幅はＢＷ＝７．９２ＧＨｚである。対応して、時間領域における信号伝送時間はΔＴ、０．１２６７ｎｓであり、合計１５３６個の信号が伝送され、対応する合計伝送時間Ｔは変化しないままである。
【０１４８】
任意選択で、実施形態において、Ｎ個のサブキャリアでＮ個の高次変調信号を伝送する段階は、Ｎ個のサブバンドのＮ個のサブキャリアでＮ個の高次変調信号を伝送する段階であって、Ｎ個のサブキャリアにおける第ｎのサブキャリアは、Ｎ個のサブバンドにおける第ｎのサブバンドのサブキャリアであり、Ｎ個のサブバンドはＭ個のチャネルの周波数領域リソースにおけるサブバンドである、段階を含む。
【０１４９】
具体的には、複数の高次変調信号は、複数のサブバンドの複数のサブキャリアで伝送され得る。複数のサブキャリアは、複数のサブバンドのサブキャリアである。例えば、Ｎ個の高次変調信号は、Ｎ個のサブバンドのＮ個のサブキャリアで伝送され、Ｎ個のサブキャリアにおける第ｎのサブキャリアは、Ｎ個のサブバンドにおける第ｎのサブバンドのサブキャリアである。換言すれば、高次変調信号を伝送するために使用されるサブキャリアは、サブバンドのサブキャリアである。複数のサブバンドは、周波数領域リソースに基づいてワイドバンドチャネルを分割することによって取得される複数のサブバンドである。このように、高次変調信号は、複数のサブバンドの複数のサブキャリアで伝送され得る。
【０１５０】
従って、本願のこの実施形態における信号伝送方法において、複数の低次変調信号は、Ｎ個の高次変調信号に組み合わされ、Ｎ個の高次変調信号は、Ｎ個のサブキャリアで伝送され、ここで、Ｎ個のサブキャリアは、Ｍ個のチャネルの周波数領域リソースにおけるサブキャリアである。具体的には、Ｎ個の高次変調信号は、複数のサブバンドのＮ個のサブキャリアで伝送される。これにより、ダイバーシティ利得の効率を改善できる。
【０１５１】
任意選択で、実施形態において、Ｎ＝４であるとき、Ｎ個のサブバンドは、第１サブバンド、第２サブバンド、第３サブバンドおよび第４サブバンドであり、Ｎ個のサブキャリアは、第１サブキャリア、第２サブキャリア、第３サブキャリアおよび第４サブキャリアであり、Ｎ個の高次変調信号は、第１高次変調信号
【数７９】
2019522938.tif 000286
、第２高次変調信号
【数８０】
2019522938.tif 000287
、第３高次変調信号
【数８１】
2019522938.tif 000288
および第４高次変調信号
【数８２】
2019522938.tif 000289
であり、
ｘ１＊はｘ１の共役であり、ｘ２＊はｘ２の共役であり、Ｎ個のサブバンドのＮ個のサブキャリアでＮ個の高次変調信号を伝送する段階は、第１サブバンドの第１サブキャリアで第１高次変調信号
【数８３】
2019522938.tif 000290
を伝送する段階と、第２サブバンドの第２サブキャリアで第２高次変調信号
【数８４】
2019522938.tif 000291
を伝送する段階と、第３サブバンドの第３サブキャリアで第３高次変調信号
【数８５】
2019522938.tif 000292
を伝送する段階と、第４サブバンドの第４サブキャリアで第４高次変調信号
【数８６】
2019522938.tif 000293
を伝送する段階とを含む。
【０１５２】
具体的には、周波数領域におけるＯＦＤＭサブキャリアは、４個のサブバンドまたはサブブロックに分割され得る。次に、送信予定の低次変調信号ｓ１およびｓ２は、４個の高次変調信号に組み合わされ、４個の高次変調信号はそれぞれ、４個のサブバンドのサブキャリアで伝送される。図１９は、周波数領域におけるＯＦＤＭサブキャリアが４個のサブバンドに分割される場合についての伝送の解決法の概略図である。図１９に示されるように、具体的な伝送の解決法は、第１サブバンドの第１サブキャリアで第１高次変調信号
【数８７】
2019522938.tif 000294
を伝送し、第２サブバンドの第２サブキャリアで第２高次変調信号
【数８８】
2019522938.tif 000295
を伝送し、第３サブバンドの第３サブキャリアで第３高次変調信号
【数８９】
2019522938.tif 000296
を伝送し、第４サブバンドの第４サブキャリアで第４高次変調信号
【数９０】
2019522938.tif 000297
を伝送することである。
【数９１】
2019522938.tif 000298
は
【数９２】
2019522938.tif 000299
の共役であり、
【数９３】
2019522938.tif 000300
は
【数９４】
2019522938.tif 000301
の共役である。
【０１５３】
本願のこの実施形態において、４個の高次変調信号の各々は、４個のサブバンドのサブキャリアで伝送される。サブバンドの他のサブキャリアも高次変調信号を伝送するために使用され得ることを理解すべきである。これは限定されるものではない。例えば、この例において、１０００個の高次変調信号がある場合、１０００個の高次変調信号は、４個の高次変調信号ごとにグループとして扱うことによって、４個のサブバンドの複数のサブキャリアで同時に伝送され得る。当然、これは、単にこの解決法を当業者が理解することを助けることを意図するものであり、本願に対する限定を構成しない。
【０１５４】
本願のこの実施形態において、図１９における第１サブバンドは例として使用される。第１サブバンドの第１サブキャリアで伝送される信号は
【数９５】
2019522938.tif 000302
である。また、別の高次変調信号は、第１サブバンドの別のサブキャリアで伝送され得る。ここでは、第１サブバンドの第１サブキャリアは、説明のための例としてのみ使用される。
【０１５５】
第１サブバンドのサブキャリアは、図１９における
【数９６】
2019522938.tif 000303
のみを伝送することに限定されるものではないことに留意すべきである。
【数９７】
2019522938.tif 000304
が第１サブバンドの第１サブキャリアで伝送される例は、ここでは、概略的な説明のためのみに使用される。具体的な適用において、他の高次変調信号は、第１サブキャリアを除く、第１サブバンドの他のサブキャリアで同時に伝送され得る。これは限定されるものではない。図１９、および、以下に見られる場合における他のサブバンドは、第１サブバンドと同様である。以下では詳細を説明しない。
【０１５６】
従って、具体的なこの実装において、４個の高次変調信号は、４個のサブバンドの４個のサブキャリアで伝送される。これにより、ダイバーシティ利得の効率を改善できる。
【０１５７】
任意選択で、チャネル行列Ｑは、
【数９８】
2019522938.tif 000305
であるか、または、チャネル行列Ｑは、
【数９９】
2019522938.tif 000306
である。
【０１５８】
具体的には、低次変調信号ｓ１、ｓ２がＢＰＳＫ変調信号であり、かつ、高次変調信号ｘ１、ｘ２がＱＰＳＫ信号
【数１００】
2019522938.tif 000307
であるとき、
【数１０１】
2019522938.tif 000308
である対応するチャネル行列Ｑは、表１における組み合わせ係数に関連して取得され得る。または、低次変調信号ｓ１、ｓ２がＱＰＳＫ変調信号であり、かつ、高次変調信号ｘ１、ｘ２が１６ＱＡＭ信号であるとき、
【数１０２】
2019522938.tif 000309
であり、
【数１０３】
2019522938.tif 000310
である対応するチャネル行列Ｑは、表２における組み合わせ係数に関連して取得され得る。
【０１５９】
従って、本願のこの実施形態における信号伝送方法において、複数の低次変調信号は、Ｎ個の高次変調信号に組み合わされ、Ｎ個の高次変調信号は、Ｎ個のサブキャリアで伝送され、ここで、Ｎ個のサブキャリアは、Ｍ個のチャネルの周波数領域リソースにおけるサブキャリアである。具体的には、Ｎ個の変調信号は、複数のサブバンドのＮ個のサブキャリアで伝送される。これにより、ダイバーシティ利得の効率を改善できる。
【０１６０】
任意選択で、実施形態において、Ｎ＝３であるとき、Ｎ個のサブバンドは、第１サブバンド、第２サブバンドおよび第３サブバンドであり、Ｎ個のサブキャリアは、第１サブキャリア、第２サブキャリアおよび第３サブキャリアであり、Ｎ個の高次変調信号は、第１高次変調信号
【数１０４】
2019522938.tif 000311
、第２高次変調信号
【数１０５】
2019522938.tif 000312
、第３高次変調信号
【数１０６】
2019522938.tif 000313
であり、Ｎ個のサブバンドのＮ個のサブキャリアでＮ個の高次変調信号を伝送する段階は、第１サブバンドの第１サブキャリアで第１高次変調信号
【数１０７】
2019522938.tif 000314
を伝送する段階と、第２サブバンドの第２サブキャリアで第２高次変調信号
【数１０８】
2019522938.tif 000315
を伝送する段階と、第３サブバンドの第３サブキャリアで第３高次変調信号
【数１０９】
2019522938.tif 000316
を伝送する段階とを含む。
【０１６１】
具体的には、周波数領域におけるＯＦＤＭサブキャリアは、３個のサブバンドまたはサブブロックに分割され得る。次に、送信予定の低次変調信号ｓ１、ｓ２、ｓ３はそれぞれ、３個のサブバンドのサブキャリアで伝送される。図２０は、ＯＦＤＭが３個のサブバンドに分割される場合についての伝送の解決法の概略図である。図２０に示されるように、具体的な伝送の解決法は、第１サブバンドの第１サブキャリアで第１高次変調信号
【数１１０】
2019522938.tif 000317
を伝送し、第２サブバンドの第２サブキャリアで第２高次変調信号
【数１１１】
2019522938.tif 000318
を伝送し、第３サブバンドの第３サブキャリアで第３高次変調信号
【数１１２】
2019522938.tif 000319
を伝送することである。
【０１６２】
従って、本願のこの実施形態における信号伝送方法において、複数の低次変調信号は、Ｎ個の高次変調信号に組み合わされ、Ｎ個の高次変調信号は、Ｎ個のサブキャリアで伝送され、ここで、Ｎ個のサブキャリアは、Ｍ個のチャネルの周波数領域リソースにおけるサブキャリアである。具体的には、Ｎ個の変調信号は、複数のサブバンドのＮ個のサブキャリアで伝送される。これにより、ダイバーシティ利得の効率を改善できる。
【０１６３】
任意選択で、複数の低次変調信号は、ｓ１、ｓ２およびｓ３であり、チャネル行列Ｑは、
【数１１３】
2019522938.tif 000320
である。
【０１６４】
具体的には、低次変調信号ｓ１、ｓ２、ｓ３がＱＰＳＫ変調信号であり、かつ、高次変調信号ｘ１、ｘ２、ｘ３が６４ＱＡＭ変調信号であるとき、
【数１１４】
2019522938.tif 000321
であり、
【数１１５】
2019522938.tif 000322
である対応するチャネル行列Ｑは、表３における組み合わせ係数から、任意の組の組み合わせ係数を選択することによって取得され得る。
【０１６５】
従って、具体的なこの実装において、３次高次変調信号は、３個のサブバンドの３個のサブキャリアで伝送される。これにより、ダイバーシティ利得の効率を改善できる。
【０１６６】
α、β、γの値は、表３における任意の組の係数であり得ることを理解すべきである。これは限定されるものではない。
【０１６７】
従って、本願のこの実施形態における信号伝送方法において、複数の低次変調信号は、Ｎ個の高次変調信号に組み合わされ、Ｎ個の高次変調信号は、Ｎ個のサブキャリアで伝送され、ここで、Ｎ個のサブキャリアは、Ｍ個のチャネルの周波数領域リソースにおけるサブキャリアである。具体的には、Ｎ個の変調信号は、複数のサブバンドのＮ個のサブキャリアで伝送される。これにより、ダイバーシティ利得の効率を改善できる。
【０１６８】
上記では、本願の実施形態における信号伝送方法を詳細に説明した。以下では、本願の実施形態における信号伝送装置を説明する。
【０１６９】
図２１は、本願の実施形態に係る信号伝送装置９００の概略ブロック図である。図２１に示されるように、装置９００は、複数の低次変調信号を組み合わせてＮ個の高次変調信号にするよう構成される決定モジュール９１０と、決定モジュール９１０によって決定されたＮ個の高次変調信号をＮ個のサブキャリアで伝送するよう構成される伝送モジュール９２０であって、Ｎ個のサブキャリアは、Ｍ個のチャネルの周波数領域リソースにおけるサブキャリアであり、Ｎ個の高次変調信号における第ｎの高次変調信号は、Ｎ個のサブキャリアにおける第ｎのサブキャリアで伝送され、Ｎは２以上の整数であり、Ｍは２以上の整数であり、ｎ＝１，２，...，Ｎである、伝送モジュール９２０とを備える。
【０１７０】
本願のこの実施形態における信号伝送装置は、複数の低次変調信号を組み合わせてＮ個の高次変調信号にし、Ｎ個のサブキャリアでＮ個の高次変調信号を伝送し、Ｎ個のサブキャリアはＭ個のチャネルの周波数領域リソースにおけるサブキャリアである。これにより、ダイバーシティ利得の効率を改善できる。
【０１７１】
任意選択で、決定モジュール９１０は具体的には、複数の低次変調信号およびチャネル行列Ｑに基づいて、Ｎ個の高次変調信号を決定するよう構成される。
【０１７２】
任意選択で、実施形態において、伝送モジュール９２０は、具体的には、Ｍ個のチャネルにおける第ｍのチャネルのｋ個のサブキャリアでＮ個の高次変調信号のうちのｋ個を伝送するよう構成され、Ｎ＝Ｍ×ｋであり、ｋは２より大きい整数であり、ｍ＝１，２，...，Ｍである。
【０１７３】
任意選択で、実施形態において、Ｍ＝２かつＮ＝４であるとき、Ｍ個のチャネルは、第１チャネルおよび第２チャネルであり、Ｎ個のサブキャリアは、第１サブキャリア、第２サブキャリア、第３サブキャリアおよび第４サブキャリアであり、Ｎ個の高次変調信号は、第１高次変調信号ｘ１、第２高次変調信号ｘ２、第３高次変調信号ｘ３および第４高次変調信号ｘ４であり、伝送モジュールは具体的には、第１チャネルの第１サブキャリアで第１高次変調信号ｘ１を伝送すること、第２チャネルの第２サブキャリアで第２高次変調信号ｘ２を伝送すること、第１チャネルの第３サブキャリアで第３高次変調信号ｘ３を伝送すること、および、第２チャネルの第４サブキャリアで第４高次変調信号ｘ４を伝送することを行うよう構成される。
【０１７４】
任意選択で、複数の低次変調信号は、ｓ１、ｓ２、ｓ３、ｓ４であり、チャネル行列Ｑは、
【数１１６】
2019522938.tif 000323
のいずれか１つである。.
【０１７５】
任意選択で、実施形態において、Ｍ＝３かつＮ＝９であるとき、Ｍ個のチャネルは、第１チャネル、第２チャネルおよび第３チャネルであり、Ｎ個のサブキャリアは、第１サブキャリア、第２サブキャリア、第３サブキャリア、第４サブキャリア、第５サブキャリア、第６サブキャリア、第７サブキャリア、第８サブキャリアおよび第９サブキャリアであり、Ｎ個の高次変調信号は、第１高次変調信号ｘ１、第２高次変調信号ｘ２、第３高次変調信号ｘ３、第４高次変調信号ｘ４、第５高次変調信号ｘ５、第６高次変調信号ｘ６、第７高次変調信号ｘ７、第８高次変調信号ｘ８および第９高次変調信号ｘ９であり、伝送モジュール９２０は具体的には、第１チャネルの第１サブキャリアで第１高次変調信号ｘ１を伝送すること、第２チャネルの第２サブキャリアで第２高次変調信号ｘ２を伝送すること、第３チャネルの第３サブキャリアで第３高次変調信号ｘ３を伝送すること、第１チャネルの第４サブキャリアで第４高次変調信号ｘ４を伝送すること、第２チャネルの第５サブキャリアで第５高次変調信号ｘ５を伝送すること、第３チャネルの第６サブキャリアで第６高次変調信号ｘ６を伝送すること、第１チャネルの第７サブキャリアで第７高次変調信号ｘ７を伝送すること、第２チャネルの第８サブキャリアで第８高次変調信号ｘ８を伝送すること、および、第３チャネルの第９サブキャリアで第９高次変調信号ｘ９を伝送することを行うよう構成される。
【０１７６】
任意選択で、複数の低次変調信号は、ｓ１、ｓ２、ｓ３、ｓ４、ｓ５、ｓ６、ｓ７、ｓ８、ｓ９であり、チャネル行列Ｑは
【数１１７】
2019522938.tif 000324
である。
【０１７７】
従って、本願のこの実施形態における信号伝送装置は、複数の低次変調信号を組み合わせてＮ個の高次変調信号にし、Ｎ個のサブキャリアでＮ個の高次変調信号を伝送し、Ｎ個のサブキャリアはＭ個のチャネルの周波数領域リソースにおけるサブキャリアである。具体的には、Ｎ個の変調信号は、Ｍ個のチャネルのサブキャリアで伝送される。これにより、ダイバーシティ利得の効率を改善できる。
【０１７８】
任意選択で、実施形態において、伝送モジュール９２０は具体的には、Ｎ個のサブバンドのＮ個のサブキャリアでＮ個の高次変調信号を伝送するよう構成され、Ｎ個のサブキャリアにおける第ｎのサブキャリアは、Ｎ個のサブバンドにおける第ｎのサブバンドのサブキャリアであり、Ｎ個のサブバンドは、Ｍ個のチャネルの周波数領域リソースにおけるサブバンドである。
【０１７９】
任意選択で、実施形態において、Ｎ＝４であるとき、Ｎ個のサブバンドは、第１サブバンド、第２サブバンド、第３サブバンドおよび第４サブバンドであり、Ｎ個のサブキャリアは、第１サブキャリア、第２サブキャリア、第３サブキャリアおよび第４サブキャリアであり、Ｎ個の高次変調信号は、第１高次変調信号
【数１１８】
2019522938.tif 000325
、第２高次変調信号
【数１１９】
2019522938.tif 000326
、第３高次変調信号
【数１２０】
2019522938.tif 000327
および第４高次変調信号
【数１２１】
2019522938.tif 000328
であり、ｘ１＊はｘ１の共役であり、ｘ２＊はｘ２の共役であり、伝送モジュールは具体的には、第１サブバンドの第１サブキャリアで第１高次変調信号
【数１２２】
2019522938.tif 000329
を伝送すること、第２サブバンドの第２サブキャリアで第２高次変調信号
【数１２３】
2019522938.tif 000330
を伝送すること、第３サブバンドの第３サブキャリアで第３高次変調信号
【数１２４】
2019522938.tif 000331
を伝送すること、および、第４サブバンドの第４サブキャリアで第４高次変調信号
【数１２５】
2019522938.tif 000332
を伝送することを行うよう構成される。
【０１８０】
任意選択で、複数の低次変調信号はｓ１およびｓ２であり、チャネル行列Ｑは、
【数１２６】
2019522938.tif 000333
であるか、または、チャネル行列Ｑは、
【数１２７】
2019522938.tif 000334
である。
【０１８１】
任意選択で、実施形態において、Ｎ＝３であるとき、Ｎ個のサブバンドは、第１サブバンド、第２サブバンドおよび第３サブバンドであり、Ｎ個のサブキャリアは、第１サブキャリア、第２サブキャリアおよび第３サブキャリアであり、Ｎ個の高次変調信号は、第１高次変調信号
【数１２８】
2019522938.tif 000335
、第２高次変調信号
【数１２９】
2019522938.tif 000336
および第３高次変調信号
【数１３０】
2019522938.tif 000337
であり、伝送モジュール９２０は、具体的には、第１サブバンドの第１サブキャリアで第１高次変調信号
【数１３１】
2019522938.tif 000338
を伝送すること、第２サブバンドの第２サブキャリアで第２高次変調信号
【数１３２】
2019522938.tif 000339
を伝送すること、および、第３サブバンドの第３サブキャリアで第３高次変調信号
【数１３３】
2019522938.tif 000340
を伝送することを行うよう構成される。
【０１８２】
任意選択で、複数の低次変調信号は、ｓ１、ｓ２およびｓ３であり、チャネル行列Ｑは、
【数１３４】
2019522938.tif 000341
である。
【０１８３】
従って、本願のこの実施形態における信号伝送装置は、複数の低次変調信号を組み合わせてＮ個の高次変調信号にし、Ｎ個のサブキャリアでＮ個の高次変調信号を伝送し、Ｎ個のサブキャリアはＭ個のチャネルの周波数領域リソースにおけるサブキャリアである。具体的には、Ｎ個の変調信号は、複数のサブバンドのサブキャリアで伝送される。これにより、ダイバーシティ利得の効率を改善できる。
【０１８４】
本願のこの実施形態におけるデータ記憶装置９００は、本願の実施形態における方法の実行主体に対応し得る。加えて、データ記憶装置９００におけるモジュールの上述および他の操作および／または機能は、上述の方法の対応する処理を実装することを意図し、簡潔化のためにここでは説明しない。
【０１８５】
本願のこの実施形態における信号伝送装置は、複数の低次変調信号を組み合わせてＮ個の高次変調信号にし、Ｎ個のサブキャリアでＮ個の高次変調信号を伝送し、Ｎ個のサブキャリアはＭ個のチャネルの周波数領域リソースにおけるサブキャリアである。これにより、ダイバーシティ利得の効率を改善できる。
【０１８６】
図２２は、本願の別の実施形態において提供される信号伝送装置の構造を示す。装置は、少なくとも１個のプロセッサ１００２（例えばＣＰＵ）、少なくとも１個のネットワークインタフェース１００５、または、別の通信インタフェース、メモリ１００６、ならびに、これらの装置の間の接続および通信を実装するよう構成される少なくとも１個の通信バス１００３を備える。プロセッサ１００２は、メモリ１００６に記憶される実行可能モジュール、例えばコンピュータプログラムを実行するよう構成される。メモリ１００６は、高速ランダムアクセスメモリ（Ｒａｎｄｏｍ  Ａｃｃｅｓｓ  Ｍｅｍｏｒｙ，  ＲＡＭ）を含み得て、さらに、不揮発性メモリ（ｎｏｎ−ｖｏｌａｔｉｌｅ  ｍｅｍｏｒｙ）、例えば、少なくとも１個のディスクメモリを含み得る。少なくとも１個の他のネットワーク要素への通信接続は、少なくとも１個のネットワークインタフェース１００５（有線または無線であり得る）を使用することによって実装される。
【０１８７】
いくつかの実装において、メモリ１００６はプログラム１００６１を記憶する。プログラム１００６１はプロセッサ１００２によって実行され得る。
【０１８８】
本明細書における「および／または」という用語は、関連対象を説明するための関連関係だけを説明するものであり、３つの関係が存在し得ることを表すことを理解すべきである。例えば、Ａおよび／またはＢは、次の３つのケース、すなわち、Ａのみが存在すること、ＡおよびＢの両方が存在すること、およびＢのみが存在することを表してよい。加えて、本明細書における記号「／」は概して、関連対象物間の「または」の関係を示す。
【０１８９】
先述の処理のシーケンス番号は、様々な本願の実施形態における実行順序を意味するものでないことが理解されるべきである。処理の実行順序は、処理の機能および内部論理に基づいて決定されるべきであり、本願の実施形態の実装処理に対する何らかの限定と見なされるべきではない。
【０１９０】
当業者であれば、本明細書に開示される実施形態において説明される例を参照することにより、ユニットおよびアルゴリズムのステップは、電子的ハードウェア、または、コンピュータソフトウェアおよび電子的ハードウェアの組み合わせによって実装され得ることを認識し得る。機能がハードウェアによって実行されるか、または、ソフトウェアによって実行されるかは、技術的解決法の特定の適用および設計の制約に依存する。当業者であれば、それぞれの特定の用途に対して説明された機能を実行すべく異なる方法を用いてよいが、その実装が本願の範囲を超えるものと考えられるべきではない。
【０１９１】
当業者であれば、説明の便宜および簡潔性のために、上述のシステム、装置およびユニットの詳細な動作処理については、上述の方法の実施形態における対応する処理を参照してよいことを明確に理解し得て、ここでは詳細を再度説明しない。
【０１９２】
本願において提供されるいくつかの実施形態において、開示されるシステム、装置、および方法は、他の方式で実装されてよいことを理解すべきである。例えば、説明された装置の実施形態は例に過ぎない。例えば、ユニットの分割は、論理的機能の分割に過ぎず、実際の実装においては他の分割であってよい。例えば、複数のユニットまたはコンポーネントは、別のシステムと組み合わされまたは統合されてよい。または、いくつかの特徴は、無視されてよく、または、実行されなくてよい。加えて、示された、または、説明された、相互連結または直接の連結もしくは通信接続は、いくつかのインタフェースを使用することによって実装され得る。装置またはユニット間の間接的な連結または通信接続は、電気的、機械的、または、他の形で実装され得る。
【０１９３】
別個の部品として説明されるユニットは、物理的に別個であっても、そうでなくてもよく、ユニットとして示される部品は、物理的ユニットであっても、そうでなくてもよく、１箇所に位置しても、または、複数のネットワークユニット上に分散していてもよい。ユニットのいくつかまたはすべては、実施形態の解決法の目的を達成するための実際の要件に応じて選択され得る。
【０１９４】
加えて、本願の実施形態における機能ユニットは、１つの処理ユニットに統合されてよい、又は、機能ユニットのそれぞれは、物理的に単独で存在してよい、又は、２若しくはそれより多いユニットが１つのユニットに統合されてよい。
【０１９５】
複数の機能がソフトウェア機能ユニットの形態で実装され、独立したプロダクトとして販売される、または用いられるとき、それら機能はコンピュータ可読記憶媒体に格納され得る。そのような理解に基づいて、基本的に本願の技術的解決法又は従来技術に対して貢献する部分又は技術的解決手法のいくつかが、ソフトウェアプロダクトの形式で実装されてよい。コンピュータソフトウェアのプロダクトは、記憶媒体に記憶され、本願の実施形態において説明される方法の段階のすべてまたはいくつかを実行するようコンピュータデバイス（パーソナルコンピュータ、サーバ、ネットワークデバイス、または、同様のなどであり得る）に指示するためのいくつかの命令を含む。記憶媒体は、ＵＳＢフラッシュドライブ、リムーバブルハードディスク、リードオンリメモリ（Ｒｅａｄ−Ｏｎｌｙ  Ｍｅｍｏｒｙ，ＲＯＭ）、ランダムアクセスメモリ（ＲＡＭ）、磁気ディスク、または、光ディスクなど、プログラムコードを記憶できる任意の媒体を含む。
【０１９６】
前述の説明は、本願の特定の実装に過ぎず、本願の保護範囲を制限することを意図したものではない。本願において開示された技術的範囲内で、当業者により容易に考え出される任意の変形又は置換が本願の保護範囲に含まれるものとする。従って、本願の保護範囲は、特許請求の範囲の保護範囲に従うものとする。
【国際調査報告】
2019522938.tif 000342
2019522938.tif 000343
2019522938.tif 000344
2019522938.tif 000345